(57)【特許請求の範囲】
【請求項１】
カメラから出力され閃光装置を制御する信号を、無線通信により前記閃光装置へ伝達することにより、前記閃光装置を制御する撮影システムにおいて、
前記カメラと前記閃光装置の少なくとも一方の装置は、前記カメラまたは前記閃光装置を識別するための固有の識別コードを予め有する登録部を有し、
前記固有の識別コードを有する前記一方の装置は、前記他方の装置と導線または接点を介して接続された状態で、該導線または該接点を介して前記固有の識別コードを前記他方の装置に通信し、
前記他方の装置は、前記導線または前記接点を介して通信された前記固有の識別コードを該他方の装置内の登録部に登録し、
前記閃光装置は、前記カメラから電波を媒体として伝達される前記固有の識別コードを、
前記閃光装置が前記一方の装置である場合には、該閃光装置内の前記登録部が予め有する前記固有の識別コードと照合し、
前記閃光装置が、前記他方の装置である場合には、該閃光装置内の該登録部に前記導線又は接点を介して登録された前記固有の識別コードと照合する照合手段を有していることを特徴とする撮影システム。
【請求項２】
前記カメラは、複数の閃光装置の前記固有の識別コードを記憶していることを特徴とする請求項１記載の撮影システム。
【請求項３】
前記閃光装置の数は複数であり、各閃光装置はそれぞれ独立して前記カメラの前記固有の識別コードを記憶していることを特徴とする請求項１に記載の撮影システム。
【請求項４】
第１の携帯端末から撮影に関する信号を、第２の携帯端末に無線伝送して前記第２の携帯端末を制御する撮影情報伝送システムにおいて、
前記第１の携帯端末と前記第２の携帯端末の少なくとも一方の携帯端末は、前記第１の携帯端末または前記第２の携帯端末を識別するための固有の識別子を予め有する登録部を有し、
前記固有の識別子を有する前記一方の携帯端末は、前記他方の携帯端末と導線または接点を介して接続された状態で、該導線または該接点を介して前記固有の識別子を前記他方の携帯端末に通信し、
前記他方の携帯端末は、前記導線または前記接点を介して通信された前記固有の識別子を該他方の携帯端末内の登録部に登録し、
前記第２の携帯端末は、前記第１の携帯端末から電波を媒体として伝送される前記固有の識別子を、
前記第２の携帯端末が前記一方の携帯端末である場合には、該第２の携帯端末内の前記登録部が予め有する前記固有の識別子と照合し、
前記第２の携帯端末が前記他方の携帯端末である場合には、該第２の携帯端末内の該登録部に前記導線または接点を介して登録された前記固有の識別子と照合する照合手段を有していることを特徴とする撮影情報伝送システム。
【請求項５】
前記第１の携帯端末は、複数の第２の携帯端末の前記固有の識別子を記憶していることを特徴とする請求項４に記載の撮影情報伝送システム。
【請求項６】
前記第２の携帯端末の数は複数であり、各第２の携帯端末はそれぞれ独立して前記第１の携帯端末の前記固有の識別子を記憶していることを特徴とする請求項４に記載の撮影情報伝送システム。
【請求項７】
第１の携帯端末は、カメラであり、第２の携帯端末は、閃光装置であることを特徴とする請求項４ないし請求項６のいずれか１項に記載の撮影情報伝送システム。
【請求項８】
第１の携帯端末は、カメラであり、第２の携帯端末は、携帯電話であることを特徴とする請求項４ないし請求項６のいずれか１項に記載の撮影情報伝送システム。
【請求項９】
第１の携帯端末は、カメラであり、第２の携帯端末は、カメラであることを特徴とする請求項４ないし請求項６のいずれか１項に記載の撮影情報伝送システム。
【請求項１０】
閃光装置に対して、該閃光装置を制御する信号を、無線通信により伝達するカメラであって、
前記カメラを識別するための固有の識別コードを予め有する登録部と、
前記固有の識別コードを、前記閃光装置に接続された導線または接点を介して、該閃光装置に伝達する伝達手段と、
前記固有の識別コードを、前記無線通信を介して、前記閃光装置を制御する信号と共に前記閃光装置に伝達する無線通信手段とを有することを特徴とするカメラ。
【請求項１１】
閃光装置に対して、該閃光装置を制御する信号を、無線通信により伝達するカメラであって、
前記閃光装置から、該閃光装置を識別するための固有の識別コードを、該閃光装置と接続された導線または接点を介して受信する受信手段と、
前記受信手段で受信した前記固有の識別コードを登録する登録部と、
前記登録部に登録された前記固有の識別コードを、前記無線通信を介して、前記閃光装置を制御する信号と共に前記閃光装置に伝達する無線通信手段と、を有することを特徴とするカメラ。
【請求項１２】
カメラから無線通信により出力された制御信号に基づいて制御される閃光装置であって、
前記閃光装置を識別するための固有の識別コードを有する登録部と、
前記固有の識別コードを、前記カメラに接続された導線または接点を介して、該カメラに伝達する伝達手段と、
前記カメラから電波を媒体として伝達される前記固有の識別コードを、前記無線通信により受信する無線通信手段と、
前記無線通信により受信された前記固有の識別コードと、前記登録部の有する前記固有の識別コードとを照合する照合手段と、を有することを特徴とする閃光装置。
【請求項１３】
カメラから無線通信により出力された制御信号に基づいて制御される閃光装置であって、
前記カメラから、該カメラを識別するための固有の識別コードを、該カメラと接続された導線または接点を介して受信する受信手段と、
前記受信手段で受信した前記固有の識別コードを登録する登録部と、
前記カメラから電波を媒体として伝達される前記固有の識別コードを、前記無線通信により受信する無線通信手段と、
前記無線通信により受信された前記固有の識別コードと、前記登録部に登録された前記固有の識別コードとを照合する照合手段と、を有することを特徴とする閃光装置。
【請求項１４】
第２の携帯端末に対して、該第２の携帯端末を制御する撮影に関する信号を、無線通信により伝達する第１の携帯端末であって、
前記第１の携帯端末を識別するための固有の識別子を予め有する登録部と、
前記固有の識別子を、前記第２の携帯端末に接続された導線または接点を介して、該第２の携帯端末に伝達する伝達手段と、
前記固有の識別子を、前記無線通信を介して、前記第２の携帯端末を制御する信号と共に前記第２の携帯端末に伝達する無線通信手段と、を有することを特徴とする第１の携帯端末。
【請求項１５】
第２の携帯端末に対して、該第２の携帯端末を制御する撮影に関する信号を、無線通信により伝達する第１の携帯端末であって、
前記第２の携帯端末から、該第２の携帯端末を識別するための固有の識別子を、該閃光装置と接続された導線または接点を介して受信する受信手段と、
前記受信手段で受信した前記固有の識別子を登録する登録部と、
前記登録部に登録された前記固有の識別子を、前記無線通信を介して、前記第２の携帯端末を制御する信号と共に前記第２の携帯端末に伝達する無線通信手段と、を有することを特徴とする第１の携帯端末。
【請求項１６】
第１の携帯端末から無線通信により出力された撮影に関する制御信号に基づいて制御される第２の携帯端末であって、
前記第２の携帯端末を識別するための固有の識別子を有する登録部と、
前記固有の識別子を、前記第１の携帯端末に接続された導線または接点を介して、前記第１の携帯端末に伝達する伝達手段と、
前記第１の携帯端末から電波を媒体として伝達される前記固有の識別子を、前記無線通信により受信する無線通信手段と、
前記無線通信により受信された前記固有の識別子と、前記登録部の有する前記固有の識別子とを照合する照合手段と、を有することを特徴とする第２の携帯端末。
【請求項１７】
第１の携帯端末から無線通信により出力された撮影に関する制御信号に基づいて制御される第２の携帯端末であって、
前記第１の携帯端末から、該第１の携帯端末を識別するための固有の識別子を、該第１の携帯端末と接続された導線又は接点を介して受信する受信手段と、
前記受信手段で受信した前記固有の識別子を登録する登録部と、
前記第１の携帯端末から電波を媒体として伝達される前記固有の識別子を、前記無線通信により受信する無線通信手段と、
前記無線通信により受信された前記固有の識別子と、前記登録部に登録された前記固有の識別子とを照合する照合手段と、を有することを特徴とする第２の携帯端末。
【発明の詳細な説明】
【０００１】
【発明の属する技術分野】
本発明は、カメラと閃光装置とが協働してフラッシュ撮影を行う撮影システム、及び、カメラ等の第１の携帯端末から閃光装置等の第２の携帯端末に撮影に関する信号を送って、第２の携帯端末を制御する撮影情報伝送システムに関する。
【０００２】
【従来の技術】
今日、カメラが用られる際、カメラと他の付属装置である閃光装置とが協働してフラッシュ撮影が行われたり、カメラの撮影データを携帯電話に送信したりすることが行われる。この時、カメラ等の第１の携帯端末と閃光装置等の第２の携帯端末とを相互接続する撮影情報伝送システムが用いられる。
【０００３】
撮影情報伝送システムとして、カメラと閃光装置とが協働してフラッシュ撮影を行う撮像システムを例を挙げて説明する。
この撮影システムでは、カメラのホットシューに閃光装置を直接取り付けたり、或いは、カメラのホットシューと閃光装置とをケーブルを介して接続し、カメラと閃光装置の距離を数メートル離して行う例が多い。
【０００４】
特に、高度なライティングのフラッシュ撮影を行うために、延長ケーブルを分枝させて複数の閃光装置を１台のカメラに接続し、それぞれの閃光装置の発光量を独自に設定し、同時に発光させることも行われている。かかる撮影システムは、複数の閃光装置を１台のカメラに接続するために、蛸足状に分枝した延長ケーブルを使うことを余儀なくされ、作業上煩わしくなる。
【０００５】
そこで、最近、カメラと複数の閃光装置間において、延長ケーブルを使わずにワイアレス（発光パルス列による無線通信）で発光制御する撮像システムが一部実用化されている。
かかる撮影システムとして、図２３ないし図２５に示すものが知られている。
この撮影システムについて以下に説明する。
【０００６】
この撮影システムは、カメラ１０２と複数の閃光装置１０３，１０４間の通信手段としてマスタ閃光装置１０１にて微少な発光量の発光パルスからなる発光パルス列を生成し、この発光パルス列をマスタ閃光装置１０１から離れた複数の閃光装置１０３，１０４に送信し、フラッシュ撮影を行うものである。
この撮影システムでは、発光パルス列のパルス時間間隔に、予め設定した情報が対応付けされており、カメラ１０２から複数の閃光装置１０３，１０４へ情報が発光パルス列上に乗せられて送信されることにより、複数の閃光装置１０３，１０４は予備発光及び本発光を行う。
【０００７】
以下、予備発光，本発光について説明する。
（１）予備発光
図２４により予備発光について説明する。
図２４は予備発光におけるマスタ閃光装置の発光パルス列と閃光装置との関係を示す。
【０００８】
図２４(ａ)はマスタ閃光装置の発光パルス列を示す。
図２４(ｂ)はマスタ閃光装置の各発光パルスの発生のタイミングを示す。
図２４(ｃ)は第１閃光装置の予備発光のタイミングを示す。
図２４(ｄ)は第２閃光装置の予備発光のタイミングを示す。
【０００９】
この撮影システムでは、マスタ閃光装置１０１は撮影に先立ち、カメラ１０２自身の識別信号を第１，第２閃光装置１０３，１０４に送信する。なお、以下、第１，２閃光装置１０３，１０４は第１閃光装置１０３及び第２閃光装置１０４を意味する。
マスタ閃光装置１０１からの識別信号の送信に第１，第２閃光装置１０３，１０４が応答して第１，第２閃光装置１０３，１０４として機能するために、第１，第２閃光装置１０３，１０４にマスタ閃光装置１０１の識別信号が予め認識されている。
【００１０】
また、カメラ１０２が自身の識別信号を第１，第２閃光装置１０３，１０４に送信する際、マスタ閃光装置１０１は数種類のチャンネル（複数の発光パルスの有無からなる組合せ）から１つを識別信号として選択し、第１，第２閃光装置１０３，１０４側は同様の選択機能を有し、マスタ閃光装置１０１と同じチャンネルを設定している。
【００１１】
そして、図２４(ａ)には、マスタ閃光装置１０１の識別信号のコマンドがＰ１の発光パルス列として示されている。発光パルスの発生する予定周期ｔは予め決められており、Ｐ１のパルス列では最大４回の発光パルスが発生する。最初から２つの発光パルスは誤動作防止と通信開始の認識用に必ず発生させる。後の２つの発光パルスの有無（発光パルスの実線はＯＮ，点線はＯＮまたはＯＦＦを示す）の組合せで４つのマスタ閃光装置１０１の識別が可能になり、そのうちの１つが選択され、カメラ１０２の識別信号として特定される。
【００１２】
図２４のＰ２のパルス列は、複数の閃光装置（第１，第２閃光装置１０３，１０４）のうちの特定の１個を選択するための発光パルス列を示す。複数の閃光装置が存在することがあるので、各閃光装置に対応する識別信号が選択される。Ｐ２のパルス列では、２つの発光パルスの有無で４つの組合せが可能になり、４個の閃光装置が特定できる。閃光装置の識別信号を特定して４個の閃光装置のうちから１個が特定される。
【００１３】
そして、図２４のＰ１のパルス列やＰ２のパルス列のような各発光パルス列の先頭の発光パルスで同期が取られ、例えば第１閃光装置１０３は予定周期ｔ毎に発光パルスの有無を検出する。第１閃光装置１０３が図２４のＰ１のパルス列やＰ２のパルス列のような各発光パルスのブロックを受信した段階で、第１閃光装置１０３は、マスタ閃光装置１０１が選択されたものであるかの判断をし、また、第１閃光装置１０３自身が選択された閃光装置であるかの判断をする。
【００１４】
続いて、マスタ閃光装置１０１は選択した第１閃光装置１０３だけに小光量の発光をさせるためのコマンドを送信する（図２４のＰ３の発光パルス列が相当する）。
この後、図２４(ｃ)で示すように、選択された第１閃光装置１０３は、直ちに予め決められた発光量で予備発光する。この予備発光は撮影レンズ（図示せず）を通ってカメラ１０２の受光素子で検出される。
【００１５】
各閃光装置１０３，１０４は新たに自分の識別信号が選択されない限り応答することはない。このためマスタ閃光装置１０１が新たに別の閃光装置に対し予備発光コマンドを送信する場合、図２４（ａ）のように再度Ｐ４，Ｐ５，Ｐ６のパルス列からなるパルス列を送信する必要がある。マスタ閃光装置１０１のＰ４，Ｐ５，Ｐ６のパルス列の送信の後、第２閃光装置１０４は、予備発光を行う。ここで、Ｐ４，Ｐ５，Ｐ６のパルス列は第１の閃光装置１０３のＰ１，Ｐ２，Ｐ３のパルス列に対応している。
【００１６】
なお、Ｐ１，Ｐ２，Ｐ３，Ｐ４，Ｐ５，Ｐ６の各パルス列間の時間間隔は、少なくも２発光パルス分である。
このようにして、マスタ閃光装置１０１は、第１，第２閃光装置１０３，１０４に対して順次予備発光の命令を行い、第１，第２閃光装置１０３，１０４は予備発光する（図２４(ｃ)，図２４(ｄ)）。
【００１７】
そして、図２４の予備発光で測定した各閃光装置１０３，１０４による被写体の反射光量から本発光で発光すべき光量がカメラ１０２で演算される。
（２）本発光
図２５は本発光におけるマスタ閃光装置の発光パルス列と閃光装置との関係を示す。
【００１８】
図２５(ａ)はマスタ閃光装置の発光パルス列を示す。
図２５(ｂ)はマスタ閃光装置の発光パルスの発生のタイミングを示す。
図２５(ｃ)は第１閃光装置の本発光のタイミングを示す。
図２５(ｄ)は第２閃光装置の本発光のタイミングを示す。
図２５において、本発光では、マスタ閃光装置１０１から各閃光装置１０３，１０４に対し発光パルス列が本発光コマンドとして送信される。
【００１９】
図２５（ａ）の発光パルス列において、予備発光と同様に、本発光で発光すべき光量を各閃光装置１０３，１０４に送信する発光パルス列が示されている。この例では、予備発光の発光パルス列と区別するため、発光パルス列の最中では２パルス分以上発光が休止することがないようなコードを用いることにより、各閃光装置１０３，１０４が選択され、個別に本発光量が指定される。
【００２０】
そして、コマンドの最後に２つの発光パルス分だけ連続して発光を休止した後、最後の１発光パルス分で発光させることで、各閃光装置１０３，１０４に本発光コマンドの終了を認識させている。
各閃光装置１０３，１０４が本発光コマンドの終了を認識すると、ごく短い遅延時間の後、各閃光装置１０３，１０４は同時に指示された光量で本発光する。
【００２１】
このようにして、この撮影システムでは、マスタ閃光装置１０１がカメラ１０２の識別信号を第１，第２閃光装置１０３，１０４に送信することにより、第１，第２閃光装置１０３，１０４が他の撮影システムのカメラ（図示せず）の発光パルス列にも応答して発光することを防止する。
【００２２】
【発明が解決しようとする課題】
しかしながら、上述した発光パルス列の無線通信による多数の撮影システムが、多数の撮影者により報道現場等の近接した場所で同時に用いられる場合には、カメラ１０２が予備発光，本発光のコマンドの通信手段として発光パルス列を用いていることから、以下の問題点がある。
【００２３】
多数の撮影システムが用いられている場合、他の撮影者の撮影システムにおけるマスタ閃光装置１０１の識別信号が自身の撮影システムのマスタ閃光装置１０１の識別信号と異なっていることは期待できない。各撮影者が同じ撮影システムを用いていると、各閃光装置１０３，１０４は自身の撮影システムにおけるマスタ閃光装置１０１と判断するための識別チャンネル数が足りなくなることがある。上述の従来例では、識別チャンネル数は、図２４(ａ)のＰ１のパルス列における２つの発光パルスの有無の組合せとして４つに制限されている。
【００２４】
識別チャンネル数が足りなくなると、フラッシュ撮影中に自身の撮影システムの第１，第２閃光装置１０３，１０４が他者の撮影システムのマスタ閃光装置（図示せず）からの発光パルス列に、誤って応答してしまったり、他者の撮影システムの閃光装置が自身の撮影システムのマスタ閃光装置１０１からの発光パルス列に誤って応答する虞がある。
【００２５】
勿論、発光パルスの数を増やせば、マスタ閃光装置１０１の識別チャンネル数を増加させることはできるが、発光パルスの生成による消費電力が大きくなり、好ましくない。すなわち、フラッシュ発光は本来エネルギ変換効率のよいものではなく、発光パルス列の発信のため微少発光を繰り返すのは、エネルギ損失が大きく、本発光の発光光量が少なくなる。
【００２６】
また、本発光の発光パルスの送信の際、発光パルス数の制限のため、上述のように発光パルスは、途切れなく送信された状態となり、発光パルスを用いることによる信号伝達に支障が生じている。
本発明は、上述の問題点を解決するためになされたもので、その目的は、多数の撮影者により報道現場等の近接した場所で同時に用いられても、混信による誤動作を起こさないでフラッシュ撮影ができ、本発光の発光光量を増やすことができる撮影システム、及び、混信による誤動作を起こさないで第１，第２の携帯端末が第１，第２の携帯端末自身の属する撮影系を識別することができる撮影情報伝送システムを提供することである。
【００２７】
【課題を解決するための手段】
第１の発明の撮影システムは、カメラから出力され閃光装置を制御する信号を、無線通信により前記閃光装置へ伝達することにより、前記閃光装置を制御する撮影システムにおいて、前記カメラと前記閃光装置の少なくとも一方の装置は、前記カメラまたは前記閃光装置を識別するための固有の識別コードを予め有する登録部を有し、前記固有の識別コードを有する前記一方の装置は、前記他方の装置と導線または接点を介して接続された状態で、該導線または該接点を介して前記固有の識別コードを前記他方の装置に通信し、前記他方の装置は、前記導線または前記接点を介して通信された前記固有の識別コードを該他方の装置内の登録部に登録し、前記閃光装置は、前記カメラから電波を媒体として伝達される前記固有の識別コードを、前記閃光装置が前記一方の装置である場合には、該閃光装置内の前記登録部が予め有する前記固有の識別コードと照合し、前記閃光装置が、前記他方の装置である場合には、該閃光装置内の該登録部に前記導線又は接点を介して登録された前記固有の識別コードと照合する照合手段を有していることを特徴とする。
【００２８】
第２の発明は、第１の発明において、前記カメラは、複数の閃光装置の前記固有の識別コードを記憶していることを特徴とする。
第３の発明は、第１の発明において、前記閃光装置の数は複数であり、各閃光装置はそれぞれ独立して前記カメラの前記固有の識別コードを記憶していることを特徴とする。
【００２９】
第４の発明の撮影情報伝送システムは、第１の携帯端末から撮影に関する信号を、第２の携帯端末に無線伝送して前記第２の携帯端末を制御する撮影情報伝送システムにおいて、前記第１の携帯端末と前記第２の携帯端末の少なくとも一方の携帯端末は、前記第１の携帯端末または前記第２の携帯端末を識別するための固有の識別子を予め有する登録部を有し、前記固有の識別子を有する前記一方の携帯端末は、前記他方の携帯端末と導線または接点を介して接続された状態で、該導線または該接点を介して前記固有の識別子を前記他方の携帯端末に通信し、前記他方の携帯端末は、前記導線または前記接点を介して通信された前記固有の識別子を該他方の携帯端末内の登録部に登録し、前記第２の携帯端末は、前記第１の携帯端末から電波を媒体として伝送される前記固有の識別子を、前記第２の携帯端末が前記一方の携帯端末である場合には、該第２の携帯端末内の前記登録部が予め有する前記固有の識別子と照合し、前記第２の携帯端末が前記他方の携帯端末である場合には、該第２の携帯端末内の該登録部に前記導線または接点を介して登録された前記固有の識別子と照合する照合手段を有していることを特徴とする。
【００３０】
第５の発明は、第４の発明において、前記第１の携帯端末は、複数の第２の携帯端末の前記固有の識別子を記憶していることを特徴とする。
第６の発明は、第４の発明において、前記第２の携帯端末の数は複数であり、各第２の携帯端末はそれぞれ独立して前記第１の携帯端末の前記固有の識別子を記憶していることを特徴とする。
【００３１】
第７の発明は、第４ないし第６の発明のいずれかにおいて、第１の携帯端末は、カメラであり、第２の携帯端末は、閃光装置であることを特徴とする。
第８の発明は、第４ないし第６の発明のいずれかにおいて、第１の携帯端末は、カメラであり、第２の携帯端末は、携帯電話であることを特徴とする。
第９の発明は、第４ないし第６の発明のいずれかにおいて、第１の携帯端末は、カメラであり、第２の携帯端末は、カメラであることを特徴とする。
【００３２】
第１０の発明のカメラは、閃光装置に対して、該閃光装置を制御する信号を、無線通信により伝達するカメラであって、前記カメラを識別するための固有の識別コードを予め有する登録部と、前記固有の識別コードを、前記閃光装置に接続された導線または接点を介して、該閃光装置に伝達する伝達手段と、前記固有の識別コードを、前記無線通信を介して、前記閃光装置を制御する信号と共に前記閃光装置に伝達する無線通信手段とを有することを特徴とする。
また、第１１の発明のカメラは、閃光装置に対して、該閃光装置を制御する信号を、無線通信により伝達するカメラであって、前記閃光装置から、該閃光装置を識別するための固有の識別コードを、該閃光装置と接続された導線または接点を介して受信する受信手段と、前記受信手段で受信した前記固有の識別コードを登録する登録部と、前記登録部に登録された前記固有の識別コードを、前記無線通信を介して、前記閃光装置を制御する信号と共に前記閃光装置に伝達する無線通信手段と、を有することを特徴とする。
【００３３】
第１２の発明の閃光装置は、カメラから無線通信により出力された制御信号に基づいて制御される閃光装置であって、前記閃光装置を識別するための固有の識別コードを有する登録部と、前記固有の識別コードを、前記カメラに接続された導線または接点を介して、該カメラに伝達する伝達手段と、前記カメラから電波を媒体として伝達される前記固有の識別コードを、前記無線通信により受信する無線通信手段と、前記無線通信により受信された前記固有の識別コードと、前記登録部の有する前記固有の識別コードとを照合する照合手段と、を有することを特徴とする。
また、第１３の発明の閃光装置は、カメラから無線通信により出力された制御信号に基づいて制御される閃光装置であって、前記カメラから、該カメラを識別するための固有の識別コードを、該カメラと接続された導線または接点を介して受信する受信手段と、前記受信手段で受信した前記固有の識別コードを登録する登録部と、前記カメラから電波を媒体として伝達される前記固有の識別コードを、前記無線通信により受信する無線通信手段と、前記無線通信により受信された前記固有の識別コードと、前記登録部に登録された前記固有の識別コードとを照合する照合手段と、を有することを特徴とする。
【００３４】
第１４の発明の第１の携帯端末は、第２の携帯端末に対して、該第２の携帯端末を制御する撮影に関する信号を、無線通信により伝達する第１の携帯端末であって、前記第１の携帯端末を識別するための固有の識別子を予め有する登録部と、前記固有の識別子を、前記第２の携帯端末に接続された導線または接点を介して、該第２の携帯端末に伝達する伝達手段と、前記固有の識別子を、前記無線通信を介して、前記第２の携帯端末を制御する信号と共に前記第２の携帯端末に伝達する無線通信手段と、を有することを特徴とする。
また、第１５の発明の第１の携帯端末は、第２の携帯端末に対して、該第２の携帯端末を制御する撮影に関する信号を、無線通信により伝達する第１の携帯端末であって、前記第２の携帯端末から、該第２の携帯端末を識別するための固有の識別子を、該閃光装置と接続された導線または接点を介して受信する受信手段と、前記受信手段で受信した前記固有の識別子を登録する登録部と、前記登録部に登録された前記固有の識別子を、前記無線通信を介して、前記第２の携帯端末を制御する信号と共に前記第２の携帯端末に伝達する無線通信手段と、を有することを特徴とする。
【００３５】
第１６の発明の第２の携帯端末は、第１の携帯端末から無線通信により出力された撮影に関する制御信号に基づいて制御される第２の携帯端末であって、前記第２の携帯端末を識別するための固有の識別子を有する登録部と、前記固有の識別子を、前記第１の携帯端末に接続された導線または接点を介して、前記第１の携帯端末に伝達する伝達手段と、前記第１の携帯端末から電波を媒体として伝達される前記固有の識別子を、前記無線通信により受信する無線通信手段と、前記無線通信により受信された前記固有の識別子と、前記登録部の有する前記固有の識別子とを照合する照合手段と、を有することを特徴とする。
また、第１７の発明の第２携帯端末は、第１の携帯端末から無線通信により出力された撮影に関する制御信号に基づいて制御される第２の携帯端末であって、前記第１の携帯端末から、該第１の携帯端末を識別するための固有の識別子を、該第１の携帯端末と接続された導線又は接点を介して受信する受信手段と、前記受信手段で受信した前記固有の識別子を登録する登録部と、前記第１の携帯端末から電波を媒体として伝達される前記固有の識別子を、前記無線通信により受信する無線通信手段と、前記無線通信により受信された前記固有の識別子と、前記登録部に登録された前記固有の識別子とを照合する照合手段と、を有することを特徴とする。
【００３６】
（作用）
本発明の撮影システムにおいては、撮影システムを構成するカメラから、カメラと閃光装置の少なくとも一方の固有の識別コードが、電波を媒体として閃光装置に伝達される。
閃光装置にて、その照合手段により、前記カメラから電波を媒体として伝達される前記固有の識別コードと、予め備えた前記固有の識別コードとが照合される。
【００３７】
ここで、前記照合の態様には、以下の３つの態様（イ），（ロ），（ハ）がある。
（イ）カメラ及び閃光装置にそれぞれ固有の識別コードが備えられている場合
閃光装置にて、その照合手段により、電波を媒体として伝達されたカメラの固有の識別コード及び閃光装置の固有の識別コードと、備えられたカメラの固有の識別コード及び閃光装置の固有の識別コードとがそれぞれ照合される。
【００３８】
（ロ）カメラのみにその固有の識別コードが備えられ、閃光装置に記憶部が備えられている場合
カメラの固有の識別コードが例えば接続コードを介して閃光装置の記憶部に伝達され、閃光装置の記憶部にカメラの固有の識別コードが記憶される。
そして、カメラからその固有の識別コードが閃光装置に電波を媒体として送信される。
【００３９】
閃光装置にて、その照合手段により、記憶されたカメラの固有の識別コードと送信されてくるカメラの固有の識別コードの照合がされる。
（ハ）カメラに記憶部が備えられており、閃光装置のみにその固有の識別コードが備えられている場合
閃光装置の固有の識別コードが例えば接続コードを介してカメラの記憶部に伝達され、カメラの記憶部に閃光装置の固有の識別コードが記憶される。
【００４０】
そして、カメラに記憶された閃光装置の固有の識別コードが電波を媒体として閃光装置に送信される。閃光装置にて、その照合手段により、閃光装置側で備えている閃光装置の固有の識別コードと送信されてくる閃光装置の固有の識別コードとが照合がされる。
また、本発明の撮影システムにおいては、カメラまたは閃光装置の少なくとも一方に備えられた固有の識別コードは、カメラと閃光装置とを予め接続することにより、カメラまたは閃光装置の他方に伝達される。
【００４１】
これにより、任意のカメラと任意の閃光装置とが対応付けされた種々の撮影システムが生成される。
さらに、本発明の撮影システムにおいては、閃光装置側は、その照合手段により、電波を媒体として伝達された閃光装置の固有の識別コードと閃光装置自身が備えている固有の識別コードとを照合することにより、前記閃光装置が属する撮影システムのカメラからの信号が伝達されていることを認識する。
【００４２】
本発明の撮影システムにおいては、カメラは、複数の閃光装置を、複数の閃光装置の固有の識別コードを介して制御する。
また、本発明の撮影システムにおいては、カメラは、複数の閃光装置を、カメラの固有の識別コードを介してそれぞれ独立に制御する。
【００４３】
本発明の撮影情報伝送システムにおいては、撮影情報伝送システムを構成する第１の携帯端末から、第１の携帯端末と第２の携帯端末の少なくとも一方の固有の識別子が、電波を媒体として第２の携帯端末に伝送される。
【００４４】
本発明の撮影情報伝送システムにおいては、第２の携帯端末にて、その照合手段により、前記第１の携帯端末から電波を媒体として伝送される前記固有の識別子と、予め備えた前記固有の識別子とが照合される。
ここで、前記照合の態様には、３つの態様（イ），（ロ），（ハ）がある。この態様（イ），（ロ），（ハ）は、請求項１記載の発明と同様であり、説明を省略する。
【００４５】
本発明の撮影情報伝送システムにおいては、第１の携帯端末または第２の携帯端末の少なくとも一方に備えられた固有の識別子は、第１の携帯端末と第２の携帯端末とを予め接続することにより、第１の携帯端末または第２の携帯端末に伝送される。これにより、任意の第１の携帯端末と任意の第２の携帯端末とが対応付けされた種々の撮影情報伝送システムが生成される。
【００４６】
本発明の撮影情報伝送システムにおいては、第２の携帯端末は、その照合手段により、電波を媒体として伝送された第２の携帯端末の固有の識別子と第２の携帯端末自身が備えている固有の識別子とを照合する。これにより、第２の携帯端末は、前記第２の携帯端末が属する撮影情報伝送システムの第１の携帯端末から信号が伝送されていることを認識する。
【００４７】
本発明の撮影情報伝送システムにおいては、第１の携帯端末は、複数の第２の携帯端末を、複数の第２の携帯端末の固有の識別子を介して制御する。
また、本発明の撮影情報伝送システムにおいては、第１の携帯端末は、複数の第２の携帯端末を、第１の携帯端末の固有の識別子を介してそれぞれ独立に制御する。
【００４８】
なお、本発明の撮影情報伝送システムにおいては、閃光装置からなる第２の携帯端末は、カメラからなる第１の携帯端末により電波で制御される。
また、本発明の撮影情報伝送システムにおいては、携帯電話からなる第２携帯端末は、カメラからなる第１の携帯端末により電波で制御される。
また、本発明の撮影情報伝送システムにおいては、カメラからなる第２の携帯端末は、カメラからなる第１の携帯端末により電波で制御される。
【００４９】
【発明の実施の形態】
以下、図面により本発明の実施の形態について説明する。
【００５０】
《実施の形態１》
図１ないし図７は、本発明の撮影システム、及び撮影情報伝送システムに係る一実施の形態（実施の形態１）を示す。本実施の形態について第１の携帯端末としてカメラに適用し、第２の携帯端末として閃光装置に適用することにより説明する。前記撮影システムは前記撮影情報伝送システムの一例である。
【００５１】
図１において、第１の撮影システムＴ１は、１台のカメラと、カメラに付属する複数個（本実施の形態では２個）のスレーブからなる閃光装置とで構成される。
カメラ１には、該カメラ１により撮影される被写体Ｈに対して発光を行う第１閃光装置２及び第２閃光装置３が付属品として装備されている。なお、以下、第１閃光装置２及び第２閃光装置３を第１，２閃光装置２，３と表現する。カメラ１と第１，２閃光装置２，３とは別体である。
【００５２】
カメラ１は、予備発光により被写体Ｈからの反射光を受光素子７で受光し、その受光量に基づいて第１，２閃光装置２，３の発光量を制御する機能を備えている。
カメラ１は、被写体Ｈを撮影するカメラ本体４を有している。カメラ本体４にはシャッタボタン５，閃光装置用の登録ボタン６，受光素子７，ホットシュー８が設けられている。このカメラ本体４には、従来例のマスタ閃光装置に相当するものは装備されていない。
【００５３】
カメラ本体４内には制御回路９が装着されている。
制御回路９は、ＣＰＵ１０と、測光回路１１と、無線送信部１２とを備えている。
測光回路１１は、周知の測光機能を備えた回路に、記憶部１３を加えたものである。
【００５４】
記憶部１３は、カメラ側識別コード登録部１４と、プログラム格納部１５とを有している。
カメラ側識別コード登録部１４は、前記登録ボタン６からの信号により、後述のフラッシュ側識別コード登録部２０に接続コード２３（図１の点線で示す）からなる導線を介して仮接続されるようになっている。
【００５５】
また、撮影者の操作により、第１閃光装置２をカメラ１のホットシュー８上にセットし、それらの接点２３Ａ，２３Ｂ（図７に図示）を介して第１閃光装置２とカメラ１のホットシュー８とを直接導通させることにより、第１閃光装置２をホットシュー８に直接に仮接続することができる。これにより、接続コード２３が不要になり、仮接続を簡単にできる。
【００５６】
カメラ側識別コード登録部１４には、カメラ１の固有の識別コード（識別子）と、第１，２閃光装置２，３の固有の識別コード（識別子）とが記憶されている（図２に図示）。
プログラム格納部１５には、予備発光及び本発光における無線送信のための手順を書いたプログラムＡが格納されている（図２に図示）。
【００５７】
無線送信部１２は、予備発光及び本発光において、カメラ１の固有の識別コード，第１，２閃光装置２，３の固有の識別コード，予備発光コマンド及び本発光コマンドのデータを乗せた無線信号（電気信号）を第１，２閃光装置２，３に送信する。
第１閃光装置２は、発光を行うフラッシュ本体１６と、ＣＰＵ１７と、記憶部１８と、無線受信部１９とを有している。
【００５８】
記憶部１８は、フラッシュ側識別コード登録部２０と、プログラム格納部２１とを有している。
フラッシュ側識別コード登録部２０に、第１閃光装置２の固有の識別コード及びカメラ１の固有の識別コードが記憶されている。フラッシュ側識別コード登録部２０は、カメラ１のホットシュー８と接続コード２３または接点２３Ａ，２３Ｂ（図１の点線及び図７に図示）を介して仮接続されるようになっている。
【００５９】
プログラム格納部２１には、予備発光及び本発階における無線受信のための手順を書いたプログラムＢが格納されている。プログラムＢは、照合手段２２と、発光制御手段２２Ａとを含んでいる。照合手段２２は、フラッシュ側識別コード登録部２０に記憶されたカメラ１及び第１閃光装置２の固有の識別コードと、カメラ１から電波を媒体として送信されたカメラ１及び第１閃光装置２の固有の識別コードとを照合する。発光制御手段２２Ａは、照合手段２２からの一致出力に応答して発光を制御する。
【００６０】
第２閃光装置３は、第１閃光装置２と同様の構成であり、第１閃光装置２との相違点を説明する。第２閃光装置３のフラッシュ側識別コード登録部２０は、第２閃光装置３の固有の識別コード及びカメラ１の固有の識別コードを記憶している。
ここで、カメラ１，第１，２閃光装置２，３の固有の識別コードは今後製造される他のカメラや他の閃光装置までコンパチブルに使用でき、他の撮影システムに対して混信しないようにする必要がある。そのため、これらの固有の識別コードは、将来まで考慮して、全ての機種で異なる固有の識別コードが取れるように、充分な桁数とコード体系のものが準備される。カメラ１，第１，第２閃光装置２，３の固有の識別コードとして、カメラの種類，製造番号またはこれを表す記号（例えば文字列，数値列のむ組合せ）が挙げられる。或いは、カメラや閃光装置の機種別コードと製造番号を合成した固有の識別コードが用いられる。これは電話番号のような番号をカメラ１や第１，第２閃光装置２，３に割り振るのと同じである。
【００６１】
また、カメラ本体４に特殊レンズを装着したり、カメラ１の鏡筒の前面部にコンバータレンズを装着する場合があるが、特殊レンズ，コンバータレンズには、カメラ本体４と接続される電気接点部が設けられていない。そのため、前記特殊レンズまたは前記コンバータレンズに無線送信部を設け、この無線送信部からカメラ本体４に前記特殊レンズまたは前記コンバータレンズ自身が装着されている情報や前記特殊レンズまたは前記コンバータレンズの焦点距離等の固有の情報をカメラ本体４に送信することもできる。すなわち、前記無線送信部は前記電気接点部の機能を果たす。
【００６２】
次に、本実施の形態の作用について説明する。
第１の撮影システムＴ１では、以下のように、（１）準備作業→（２）予備発光→（３）本発光の順序でフラッシュ撮影が行われる。
（１）準備作業
図４，図７により第１の撮影システムＴ１の準備作業について説明する。
【００６３】
図４（イ）において、カメラ１側の記憶部１３におけるカメラ側識別コード登録部１４には、カメラ１の固有の識別コードが記憶されている。各閃光装置２，３側の記憶部１８におけるフラッシュ側識別コード登録部２０には、各閃光装置２，３の固有の識別コードがそれぞれ記憶されている。
そして、図４（ロ），図７に示すように、カメラ１と第１閃光装置２とが接続コード２３または接点２３Ａ，２３Ｂを介して仮接続される。この状態で、カメラ１の登録ボタン６を押すことにより、カメラ１と第１閃光装置２とが接続コード２３または接点２３Ａ，２３Ｂを介して双方向に通信される。これにより、カメラ１及び第１閃光装置２の双方にてカメラ１及び第１閃光装置２の双方の固有の識別コードの登録が行われる。すなわち、カメラ１のカメラ側識別コード登録部１４には、カメラ１の固有の識別コードに加えて、第１閃光装置２の固有の識別コードが記憶される。第１閃光装置２のフラッシュ側識別コード登録部２０には、第１閃光装置２の固有の識別コードに加えて、カメラ１の固有の識別コードが記憶される。
【００６４】
同様にして、カメラ１及び第２閃光装置３の双方にてカメラ及び第２閃光装置の双方の固有の識別コードの登録が、この接続コード２３または接点２３Ａ，２３Ｂを介して行われる。すなわち、カメラ１のカメラ側識別コード登録部１４には、カメラ１の固有の識別コードに加えて、第２閃光装置３の固有の識別コードが記憶される。第２閃光装置３のフラッシュ側識別コード登録部２０には、第２閃光装置３の固有の識別コードに加えて、カメラ１の固有の識別コードが記憶される。
【００６５】
この状態は、図４（ロ）に示される。
なお、従来例では、発光パルスの有無を設定することにより、識別信号を設定しているので、設定作業に手間がかかるが、本実施の形態では、カメラ１の登録ボタン６を単に押すことにより、カメラ１と第１閃光装置２とが接続コード２３または接点２３Ａ，２３Ｂを介して双方向に双方の固有の識別コードを通信することができるので、識別コードの記憶作業に手間がかからない。
【００６６】
かかる準備作業を経て、第１の撮影システムＴ１によりフラッシュ撮影が行われる。
フラッシュ撮影は、撮影者がシャッタボタン５を押すことにより開始され、図３，図４（ハ），図５，図６に示す電波による通信を用いて、第１，第２閃光装置２，３から閃光（予備発光，本発光）を発することにより行われる。
【００６７】
なお、図４（ハ）はカメラ１から第１，２閃光装置２，３に予備発光，本発光のための制御信号を送信している状態を示す。
この予備発光，本発光について図１〜図６により説明する。
（２）予備発光
先ず、カメラ１側について説明する。
【００６８】
第１の撮影システムＴ１において、カメラ１の無線送信部１２から制御信号が電波を媒体として第１閃光装置２の無線受信部１９に送信される（図５のＳ１の手順）。図５のＳ１の手順は、Ｓ１（Ａ）→Ｓ１（Ｂ）→Ｓ１（Ｄ）として示される。カメラ１の固有の識別コード（Ｓ１（Ａ）），第１閃光装置２の固有の識別コード（Ｓ１（Ｂ）），第１閃光装置２の発光コマンド（Ｓ１（Ｄ））の各制御信号は、その順番で送信される。
【００６９】
続いて、カメラ１の無線送信部１２から第２閃光装置３の無線受信部１９に制御信号が電波に乗せられて送信される（図５のＳ２の手順）。図５のＳ２の手順は、Ｓ２（Ａ）→Ｓ２（Ｂ）→Ｓ２（Ｄ）として示される。カメラ１の固有の識別コード（Ｓ２（Ａ）），第２閃光装置３の固有の識別コード（Ｓ２（Ｂ）），第２閃光装置３の発光コマンド（Ｓ２（Ｄ））の各制御信号は、その順番で送信される。
【００７０】
次に、第１，第２閃光装置２，３側について説明する。
第１閃光装置２と第２閃光装置３は同じ構成なので、以下、第１閃光装置２のＲ１の手順についてのみ説明し、第２閃光装置３については図５にてＲ２の手順として示し、説明を省略する。
第１閃光装置２の無線受信部１９はカメラ１の固有の識別コード及び第１閃光装置２の固有の識別コード等を受信する（図４のＲ１の手順）。
【００７１】
Ｒ１の手順は、Ｒ１（Ａ）→Ｒ１（Ｂ）→Ｒ１（Ｃ）→Ｒ１（Ｄ）→Ｒ１（Ｅ）として示される。
Ｒ１（Ａ）にて、第１閃光装置２は、カメラ１の固有の識別コードを受信する。
Ｒ１（Ｂ）にて、第１閃光装置２は、第１閃光装置２の固有の識別コードを受信する。
【００７２】
Ｒ１（Ｃ）にて、第１閃光装置２において、照合手段２２により、カメラ１側から送信されたカメラ１の固有の識別コード及び第１閃光装置２の固有の識別コードが、第１閃光装置２側に記憶されているカメラ１の固有の識別コード及び第１閃光装置２の固有の識別コードと照合される。前記送信された固有の識別コードが前記記憶されている固有の識別コードに一致していれば、手順はＲ１（Ｄ）に進む。すなわち、発光制御手段２２Ａは照合手段２２からの一致出力に応答し、発光を制御する（フラッシュ本体１６に発光コマンドを送る）。
【００７３】
これにより、第１閃光装置２は、第１の撮影システムＴ１のカメラ１に対応していることを認識し、他の撮影システムのカメラからの信号に応答せず、混信を防止できる。
【００７４】
そして、Ｒ１（Ｅ）にて、無線受信部１９からフラッシュ本体１６に予備発光のコマンドが出力される。
なお、Ｒ１（Ａ），Ｒ１（Ｂ），Ｒ１（Ｄ）で受信したことは、第１閃光装置２からカメラ１への受信した旨の返信を行わずに、第１閃光装置２の予備発光をカメラ１側の受光素子７が検出することで確認される。
【００７５】
予備発光のコマンドを受けたフラッシュ本体１６は、予備発光を被写体Ｈに向けて発する。
このようにして、図３に示すように、カメラ１から第１閃光装置２への制御信号の送信により第１閃光装置２は予備発光を行い、続いて、カメラ１から第２閃光装置３への制御信号の送信により第２閃光装置３は予備発光を行う。
【００７６】
この予備発光により被写体Ｈから反射した反射光はカメラ本体４の撮影レンズ（図示せず）を通過した後、受光素子７で検出され、フラッシュ撮影は以下のように本発光に移行する。
（３）本発光
先ず、カメラ１側について説明する。
【００７７】
図６に示すように、カメラ１の無線送信部１２から制御信号が電波を媒体として第１閃光装置２の無線受信部１９に送信される（図５のＳ３の手順）。図５のＳ３の手順は、Ｓ３（Ａ）→Ｓ３（Ｂ）→Ｓ３（Ｄ）として示される。カメラ１の固有の識別コード（Ｓ３（Ａ）），第１閃光装置２の固有の識別コード（Ｓ３（Ｂ）），第１閃光装置２の本発光量（Ｓ３（Ｄ））の各制御信号は、その順番で送信される。
【００７８】
ここで、Ｓ３（Ｄ）の本発光量は、測光回路１１により、受光素子７で検出された反射光量に基づいて演算されたものである。
続いて、カメラ１の無線送信部１２から制御信号が電波を媒体として第２閃光装置３の無線受信部１９に送信される（図６のＳ６の手順）。図６のＳ６の手順は、Ｓ６（Ａ）→Ｓ６（Ｂ）→Ｓ６（Ｄ）として示される。カメラ１の固有の識別コード（Ｓ６（Ａ）），第２閃光装置３の固有の識別コード（Ｓ６（Ｂ）），本発光量（Ｓ６（Ｄ））の各制御信号は、その順番で送信される。
【００７９】
そして、図３に示すように、シャッタボタン５を押してからΔｔ時間経過すると、シャッタ（図示せず）の開期間の開始時期にほぼ同期して、カメラ１の無線送信部１２から第１，２閃光装置２，３の各無線受信部１９，１９に本発光のコマンドが同時に送信される（Ｓ６（Ｅ））。
次に、第１，第２閃光装置２，３側について説明する。
【００８０】
先ず、第１閃光装置２の無線受信部１９はカメラ１の固有の識別コード及び第２閃光装置３の固有の識別コード等を受信する（図６のＲ３の手順）。
図６のＲ３の手順は、Ｒ３（Ａ）→Ｒ３（Ｂ）→Ｒ３（Ｃ）→Ｒ３（Ｄ）として示される。
Ｒ３（Ａ）にて、第１閃光装置２は、カメラ１の固有の識別コードを受信する。
【００８１】
Ｒ３（Ｂ）にて、第１閃光装置２は、第１閃光装置２の固有の識別コードを受信する。
Ｒ３（Ｃ）にて、第１閃光装置２において、照合手段２２により、カメラ１側から送信されたカメラ１の固有の識別コード及び第１閃光装置２の固有の識別コードが、第１閃光装置２側に記憶されているカメラ１の固有の識別コード及び第１閃光装置２の固有の識別コードと照合される。前記送信された固有の識別コードが前記記憶されている固有の識別コードに一致していれば、Ｒ３（Ｄ）に進む。すなわち、発光制御手段２２Ａは照合手段２２からの一致出力に応答し、発光を制御する（フラッシュ本体１６に発光コマンドを送る）。
【００８２】
これにより、第１閃光装置２は、第１の撮影システムＴ１のカメラ１に対応していることを認識し、他の撮影システムのカメラからの信号に応答せず、混信を防止できる。
【００８３】
なお、Ｒ３（Ａ），Ｒ３（Ｂ），Ｒ３（Ｄ），Ｒ４で受信したことは、第１閃光装置２からカメラ１への受信した旨の返信を行わずに、第１閃光装置２が本発光を行うことで確認される。
一方、第２閃光装置３では、図６のＲ６の手順が実行される。図６のＲ６の手順は、Ｒ６（Ａ）→Ｒ６（Ｂ）→Ｒ６（Ｃ）→Ｒ６（Ｄ）として示される。なお、第１閃光装置２と第２閃光装置３は同じ構成なので、説明を省略する。
【００８４】
そして、カメラ１の無線送信部１２から第１，２閃光装置２，３の無線受信部１９，１９に本発光のコマンドが同時に送信されると（図６のＳ６（Ｅ））、第１，２閃光装置２，３の無線受信部１９，１９は、本発光のコマンドを同時に受信する(Ｒ４，Ｒ７)。本発光のコマンドは、各無線受信部１９，１９から各ＣＰＵ１７，１７を介してフラッシュ本体１６，１６に出力される（Ｒ５，Ｒ８）。各フラッシュ本体１６，１６は、被写体Ｈに向けて本発光を行う。
【００８５】
第１，２閃光装置２，３の本発光が停止した後、カメラ１のシャッタが閉じる。
このようにして、フラッシュ撮影が終了する。
以上の如き構成によれば、次の効果を奏する。
第１に、カメラ１はカメラ１及び第１，２閃光装置２，３の固有の識別コードを備え、第１，２閃光装置２，３はそれぞれカメラ１及び第１，２閃光装置２，３の固有の識別コードを備えるとともに、第１，２閃光装置２，３は、電波による通信により伝達された前記固有の識別コードを照合する照合手段２２を有しているので、多数の撮影システムが近接して用いられても、第１，２閃光装置２，３は、それが属する第１の撮影システムＴ１を識別し、第１の撮影システムＴ１以外の撮影システムのカメラから送信される制御信号に誤って作動したり、誤発光することを防止できる。
【００８６】
第２に、カメラ１から第１，２閃光装置２，３への発光準備のための信号として、従来の如き発光パルスを利用した無線通信を用いる必要がなく、電波による通信を利用しているため第１，２閃光装置２，３の発光エネルギーの一部を、第１，２閃光装置２，３の発光準備のため費やさなくて済む。
この結果、第１，２閃光装置２，３の消費電力を減少させ、ガイドナンバーで表示された光量を通信の有無に拘わらず公称値通りに閃光でき、本発光の発光光量を増加させることができる。また、電波による通信のために第１，２閃光装置２，３の発光エネルギーの一部を費やさなくて済むので、任意のカメラと任意の閃光装置とが対応付けされた撮影システムの組合せを、数の制限なしに生成することができる。
【００８７】
第３に、任意のカメラと任意の閃光装置とが対応付けされた撮影システムの組合せを生成し、将来の新しい機種にも対応することができる。
第４に、カメラ１は第１，２閃光装置２，３と直接電波で通信するため、カメラ１に従来の如き発光パルスを通信用として利用するマスタ閃光装置１０１を装着する必要がなくなる。
【００８８】
第５に、フラッシュ撮影時には、カメラ１と第１，２閃光装置２，３の通信は電波で行うため、お互いの姿勢や周囲の明るさに影響を受けることがなく、例えば両者を遮蔽板で隔てていても、電波による通信を行うことができる。
第６に、第１の撮影システムＴ１は、識別コードを符号化したデータの伝送に電波による無線技術を用いるので、識別コードに関するデータを多くすることができ、伝送速度を速くし、確実に送信することができる。
【００８９】
第７に、カメラ１は第１，２閃光装置２，３に信号を単方向の伝送路を介して伝送するので、この無線技術を用いるための設備は、カメラ１は無線送信部１２を備えるだけで足り、第１，２閃光装置２，３は無線受信部１９，１９を備えることだけで足りる。
第８に、カメラ１と第１，２閃光装置２，３は撮影者により導線２３または接点２３Ａ，２３Ｂを介して予め接続されることにより、識別コードが登録され、第１の撮影システムＴ１の使用時には電波が用いられる。従って、カメラ１は、識別コードを電波で登録するブルートゥースに比して、誤って接続すべきでない相手（第１，２閃光装置２，３）に接続される可能性（例えば以下の状況）を確実になくし、撮影者は接続すべき相手に的確に識別コードが登録できる。
【００９０】
ここで、撮影者がカメラ１と第１，２閃光装置２，３を予め接続する際、電波を用いることにより誤った相手と接続する状況について説明する。
例えば、第１の撮影システムＴ１の範囲内において、カメラ１から識別コードの登録のために電波が用いられると仮定した場合、以下の接続の問題が生じる。すなわち、撮影者は意図した接続すべき相手を誤る可能性があり、電波が撮影者の不注意で接続すべきでない相手（閃光装置）に送信される可能性がある。また、複数の撮影システムが近接した場所で用いられると仮定した場合、電波がカメラ１から識別コードの登録のために第１閃光装置２または第２閃光装置３に送信される。この場合、カメラ１はそのカメラ１が属する第１の撮影システムＴ１の第１，２閃光装置２，３との間に伝送路を形成するだけでなく、そのカメラが属さない他の撮影システムの閃光装置との間に伝送路を形成する可能性がある。そのため、カメラ１は他の撮影システムの閃光装置に識別コードのデータを送って、誤って接続すべきでない相手と接続する可能性がある。
【００９１】
《実施の形態２》
図９ないし図１２は、本発明の撮影システム、及び撮影情報伝送システムに係る他の実施の形態（実施の形態２）を示す。本実施の形態について、第１の携帯端末としてカメラに適用し、第２携帯端末として閃光装置に適用することにより、説明する。前記撮影システムは前記撮影情報伝送システムの一例である。
【００９２】
第２の撮影システムＴ２は、１台のカメラと、カメラに付属する複数個（本実施の形態では２個）のスレーブからなる閃光装置とで構成される。
第２の撮影システムＴ２は、実施の形態１の第１の撮影システムＴ１と同様の構成であり、相違する部分についてのみ説明する。
【００９３】
図９に示すように、カメラ１の記憶部３１は、カメラ側識別コード登録部３２と、プログラム格納部３３とを有している。
カメラ側識別コード登録部３２には、カメラ１の固有の識別コード（識別子）が記憶されている。
プログラム格納部３３には、予備発光及び本発光における無線送信のための手順を書いたプログラムＣが格納されている。
【００９４】
第１閃光装置２の記憶部３４は、フラッシュ側識別コード登録部３５と、プログラム格納部３６とを有している。
フラッシュ側識別コード登録部３５に、カメラ１の固有の識別コード（識別子）が記憶されている。フラッシュ側識別コード登録部３５は、カメラ１のカメラ側識別コード登録部３２と接続コード２３（図７に図示）または接点２３Ａ，２３Ｂを介して仮接続されるようになっている。
【００９５】
プログラム格納部３６には、予備発光び本発光における無線受信のための手順を書いたプログラムＤが格納されている。プログラムＤは、照合手段３７と、発光制御手段３７Ａとを含んでいる。照合手段３７は、フラッシュ側識別コード登録部３５に記憶されたカメラ１の固有の識別コードと、カメラ１から電波を媒体として送信されたカメラ１の固有の識別コードとを照合する。発光制御手段３７Ａは、照合手段２２からの一致出力に応答して発光を制御する。
【００９６】
第２閃光装置３は、第１閃光装置２と同様の構成であり、説明を省略する。
次に、本実施の形態の作用について説明する。
第２の撮影システムＴ２では、以下のように、（１）準備作業→（２）予備発光→（３）本発光の順序でフラッシュ撮影が行われる。
（１）準備作業
図７，図１０により第２の撮影システムＴ２の準備作業について説明する。
【００９７】
図１０（イ）において、カメラ１側の記憶部３１におけるカメラ側識別コード登録部３２には、カメラ１の固有の識別コードが記憶されている。各閃光装置２，３側の記憶部３４におけるフラッシュ側識別コード登録部３５には、データは記憶されていない。
そして、図７，図１０（ロ）に示すように、カメラ１と第１閃光装置２とが接続コード２３または接点２３Ａ，２３Ｂを介して仮接続される。この状態で、カメラ１の登録ボタン６を押すことにより、カメラ１と第１閃光装置２とが接続コード２３または接点２３Ａ，２３Ｂを介して通信される。これにより、カメラ１から第１閃光装置２にカメラ１の固有の識別コードが図１０（ロ）の矢印で示すように送られる。第１閃光装置２のフラッシュ側識別コード登録部３５にカメラ１の固有の識別コードが記憶される。
【００９８】
同様にして、第２閃光装置３のフラッシュ側識別コード登録部３５には、カメラ１の固有の識別コードが記憶される。
この状態は、図１０（ロ）に示される。
かかる準備作業を経て、第２の撮影システムＴ２によりフラッシュ撮影が行われる。
【００９９】
フラッシュ撮影は、撮影者がシャッタボタン５を押すことにより開始され、図３，図１０（ハ），図１１，図１２に示す電波による通信を用いて、第１，第２閃光装置２，３から閃光（予備発光，本発光）を発することにより行われる。
なお、図１０（ハ）はカメラ１から第１，２閃光装置２，３に予備発光，本発光のための制御信号を送信している状態を示す。
【０１００】
この予備発光，本発光について図３，図９〜図１２により説明する。
（２）予備発光
先ず、カメラ１側について説明する。
【０１０１】
第２の撮影システムＴ２において、カメラ１の無線送信部１２から制御信号が電波を媒体として第１閃光装置２の無線受信部１９に送信される（図１１のＳ９の手順）。図１１のＳ９の手順は、Ｓ９（Ａ）→Ｓ９（Ｄ）として示される。カメラ１の固有の識別コード（Ｓ９（Ａ）），第１閃光装置２の発光コマンドＳ９（Ｄ））の各制御信号は、その順番で送信される。
【０１０２】
続いて、カメラ１の無線送信部１２から第２閃光装置３の無線受信部１９に制御信号が電波を媒体として送信される（図１１のＳ１０の手順）。図１１のＳ１０の手順は、Ｓ１０（Ａ）→Ｓ１０（Ｄ）として示される。
次に、第１，第２閃光装置２，３側について説明する。
第１閃光装置２と第２閃光装置３は同じ構成なので、第２閃光装置３については図１１にてＲ１０の手順として示し、説明を省略する。
【０１０３】
第１閃光装置２の無線受信部１９はカメラ１の固有の識別コードを受信する（図１１のＲ９の手順）。
Ｒ９の手順は、Ｒ９（Ａ）→Ｒ９（Ｃ）→Ｒ９（Ｄ）→Ｒ９（Ｅ）として示される。
Ｒ９（Ａ）にて、第１閃光装置２は、カメラ１の固有の識別コードを受信する。
【０１０４】
Ｒ９（Ｃ）にて、第１閃光装置２において、照合手段３７により、カメラ１側から送信されたカメラ１の固有の識別コードが、第１閃光装置２側に記憶されているカメラ１の固有の識別コードと照合される。前記送信された固有の識別コードが前記記憶されている固有の識別コードに一致していれば、手順はＲ９（Ｄ）に進む。すなわち、発光制御手段３７Ａは照合手段３７からの一致出力に応答し、発光を制御する（フラッシュ本体１６に発光コマンドを送る）。
【０１０５】
これにより、第１閃光装置２は、第２の撮影システムＴ２のカメラ１に対応していることを認識し、他の撮影システムのカメラからの信号に応答せず、混信を防止できる。
【０１０６】
そして、Ｒ９（Ｅ）にて、無線受信部１９からフラッシュ本体１６に予備発光のコマンドが出力される。
なお、Ｒ９（Ａ），Ｒ９（Ｄ）で受信したことは、第１閃光装置２からカメラ１への受信した旨の返信を行わずに、第１閃光装置２の予備発光をカメラ１側の受光素子７が検出することで確認される。
【０１０７】
この予備発光は、実施の形態１の撮影システムと同様なので、説明を省略する。
この予備発光の後、フラッシュ撮影は本発光に移行する。
（３）本発光
先ず、カメラ１側について説明する。
図１２に示すように、カメラ１の無線送信部１２から制御信号が電波を媒体として第１閃光装置２の無線受信部１９に送信される（図１２のＳ１１の手順）。図１２のＳ１１の手順は、Ｓ１１（Ａ）→Ｓ１１（Ｄ）として示される。カメラ１の固有の識別コード（Ｓ１１（Ａ）），第１閃光装置２の本発光量（Ｓ１１（Ｄ））の各制御信号は、その順番で送信される。
【０１０８】
ここで、Ｓ１１（Ｄ）の本発光量は、測光回路１１により、受光素子７で検出された反射光量に基づいて演算されたものである。
続いて、カメラ１の無線送信部１２から制御信号が電波を媒体として第２閃光装置３の無線受信部１９に送信される（図１２のＳ１４の手順）。図１２のＳ１４の手順は、Ｓ１４（Ａ）→Ｓ１４（Ｄ）として示される。カメラ１の固有の識別コード（Ｓ１４（Ａ）），本発光量（Ｓ１４（Ｄ））の各制御信号は、その順番で送信される。
【０１０９】
そして、図３に示すように、シャッタボタン５を押してからΔｔ時間経過すると、シャッタ（図示せず）の開期間の開始時期にほぼ同期して、カメラ１の無線送信部１２から第１，２閃光装置２，３の無線受信部１９に本発光のコマンドが同時に送信される（Ｓ１４（Ｅ））なお、本発光のコマンド（Ｓ１４（Ｅ））は、実施の形態１の本発光のコマンド（Ｓ６（Ｅ））に対応している。
【０１１０】
次に、第１，第２閃光装置２，３側について説明する。
先ず、第１閃光装置２の無線受信部１９はカメラ１の固有の識別コードを受信する（図１２のＲ１１の手順）。
Ｒ１１の手順は、Ｒ１１（Ａ）→Ｒ１１（Ｃ）→Ｒ１１（Ｄ）として示される。
Ｒ１１（Ａ）にて、第１閃光装置２は、カメラ１の固有の識別コードを受信する。
【０１１１】
Ｒ１１（Ｃ）にて、第１閃光装置２において、照合手段３７により、第１閃光装置２は、カメラ１側から送信されたカメラ１の固有の識別コードが、第１閃光装置２側に記憶されているカメラ１の固有の識別コードと照合される。前記送信された固有の識別コードが前記記憶されている固有の識別コードに一致していれば、Ｒ１１（Ｄ）に進む。
【０１１２】
すなわち、発光制御手段３７Ａは照合手段３７からの一致出力に応答し、発光を制御する（フラッシュ本体１６に発光コマンドを送る）。
これにより、第１閃光装置２は、第２の撮影システムＴ２のカメラ１からの信号であることが認識され、他の撮影システムのカメラからの信号に応答せず、混信を防止できる。
【０１１３】
なお、Ｒ１１（Ａ），Ｒ１１（Ｂ），Ｒ１１（Ｄ），Ｒ１２で受信したことは、第１閃光装置２からカメラ１への受信した旨の返信を行わずに、第１閃光装置２が本発光を行うことで確認される。
一方、第２閃光装置３では、第１閃光装置２の図１２のＲ１１に対応して、図１２のＲ１４の手順が実行される。図１２のＲ１４の手順は、Ｒ１４（Ａ）→Ｒ１４（Ｃ）→Ｒ１４（Ｄ）として示される。なお、第１閃光装置２と第２閃光装置３は同じ構成なので、説明を省略する。
【０１１４】
そして、この予備発光の後、フラッシュ撮影は本発光に移行する。
本発光は実施の形態１と同様であり、説明を省略する。
本実施の形態によれば、実施の形態１と同様の効果に加えて次の効果を奏する。
第１，２閃光装置２，３側は、照合手段３７，３７により、電波による通信により伝達されたカメラ１の固有の識別コードと第１，２閃光装置２，３に記憶されたカメラ１の固有の識別コードとを照合することにより、第１，２閃光装置２，３が属する第２の撮影システムＴ２のカメラ１からの信号が到達していることを認識できるので、第１，２閃光装置２，３の固有の識別コードについての照合をなくし、発光準備の時間を短縮できる。
【０１１５】
《実施の形態３》
図１３ないし図１６は、本発明の撮影システム、及び撮影情報伝送システムに係る一実施の形態（実施の形態３）を示す。本実施の形態３について、第１の携帯端末としてカメラに適用し、第２携帯端末として閃光装置に適用することにより説明する。前記撮影システムは前記撮影情報伝送システムの一例である。
【０１１６】
第３の撮影システムＴ３は、１台のカメラと、カメラに付属する複数個（本実施の形態では２個）のスレーブからなる閃光装置とで構成される。
第３の撮影システムＴ３は、実施の形態１の第１の撮影システムＴ１と同様の構成であり、相違する部分についてのみ説明する。
図１３に示すように、カメラ１の記憶部４１は、カメラ側識別コード登録部４２と、プログラム格納部４３とを有している。
【０１１７】
カメラ側識別コード登録部４２には、第１閃光装置２の固有の識別コード（識別子）及び第２閃光装置３の固有の識別コード（識別子）が記憶されている。
プログラム格納部４３には、予備発光及び本発光における無線送信のための手順を書いたプログラムＥが格納されている。
【０１１８】
第１閃光装置２の記憶部４４は、フラッシュ側識別コード登録部４５と、プログラム格納部４６とを有している。
第１閃光装置２のフラッシュ側識別コード登録部４５に、第１閃光装置２の固有の識別コード（識別子）が記憶されている。フラッシュ側識別コード登録部４５は、カメラ１のカメラ側識別コード登録部４２と接続コード２３または接点２３Ａ，２３Ｂを（図７に図示）を介して仮接続されるようになっている。
【０１１９】
プログラム格納部４６には、予備発光び本発光における無線受信のための手順を書いたプログラムＦが格納されている。プログラムＦは、照合手段４７と、発光制御手段４７Ａとを含んでいる。照合手段４７は、フラッシュ側識別コード登録部４５に記憶された第１閃光装置２の固有の識別コードと、カメラ１から電波を媒体として送信された第１閃光装置２の固有の識別コードとを照合する。発光制御手段４７Ａは、照合手段２２からの一致出力に応答して発光を制御する。
【０１２０】
第２閃光装置３は、第１閃光装置２と同様の構成であり、第１閃光装置２との相違点を説明する。第２閃光装置３のフラッシュ側識別コード登録部４５に、第２閃光装置３の固有の識別コード（識別子）が記憶されている。
次に、本実施の形態の作用について説明する。
第３の撮影システムＴ３では、以下のように、（１）準備作業→（２）予備発光→（３）本発光の順序でフラッシュ撮影が行われる。
【０１２１】
（１）準備作業
図７，図１４により第３の撮影システムＴ３の準備作業について説明する。
図１４（イ）において、カメラ１側の記憶部４１におけるカメラ側識別コード登録部４２には、データは記憶されていない。各閃光装置２，３側の記憶部４４におけるフラッシュ側識別コード登録部４５には、各閃光装置２，３の固有の識別コードがそれぞれ記憶されている。
【０１２２】
そして、図７，図１４（ロ）に示すように、カメラ１と第１閃光装置２とが接続コード２３または接点２３Ａ，２３Ｂを介して仮接続される。この状態で、カメラ１の登録ボタン６を押すことにより、カメラ１と第１閃光装置２とが接続コード２３または接点２３Ａ，２３Ｂを介して通信される。
カメラ１のカメラ側識別コード登録部４２にて第１閃光装置２の固有の識別コードの登録が、この接続コード２３または接点２３Ａ，２３Ｂを介して行われる。これにより、第１閃光装置２からのカメラ１のカメラ側識別コード登録部４２に、第１閃光装置２の固有の識別コードが図１４（ロ）の矢印で示すように送られる。カメラ１のカメラ側識別コード登録部４２に第１閃光装置２の固有の識別コードが記憶される。
【０１２３】
同様にして、カメラ１のカメラ側識別コード登録部４２と第２閃光装置３のフラッシュ側識別コード登録部４５が、この接続コード２３または接点２３Ａ，２３Ｂを介して行われる。カメラ側識別コード登録部４２に第２閃光装置３の固有の識別コードが記憶される。
この状態は、図１４（ロ）に示される。
【０１２４】
かかる準備作業を経て、第３の撮影システムＴ３は、フラッシュ撮影を行う。フラッシュ撮影は、撮影者がシャッタボタン５を押すことにより開始され、図３，図１４（ハ），図１５，図１６に示す電波による通信を用いて、第１，第２閃光装置２，３から閃光（予備発光，本発光）を発することにより行われる。
なお、図１４（ハ）はカメラ１から第１，２閃光装置２，３に予備発光，本発光のための制御信号を送信している状態を示す。
【０１２５】
この予備発光，本発光について図３，図１４〜図１６により説明する。
（２）予備発光
先ず、カメラ１側について説明する。
第３の撮影システムＴ３において、カメラ１の無線送信部１２から制御信号が電波を媒体として第１閃光装置２の無線受信部１９に送信される（図１５のＳ１７の手順）。Ｓ１７の手順は、Ｓ１７（Ｂ）→Ｓ１７（Ｄ）として示される。第１閃光装置２の固有の識別コード（Ｓ１７（Ｂ）），第１閃光装置２の発光コマンド（Ｓ１７（Ｄ））の各制御信号は、その順番で送信される。
【０１２６】
続いて、カメラ１の無線送信部１２から第２閃光装置３の無線受信部１９に制御信号が電波を媒体として送信される（図１５のＳ１８の手順）。Ｓ１８の手順は、Ｓ１８（Ｂ）→Ｓ１８（Ｄ）として示される。第２閃光装置３の固有の識別コード（Ｓ１８（Ｂ）），第２閃光装置３の発光コマンド（Ｓ１８（Ｄ））の各制御信号は、その順番で送信される。
【０１２７】
次に、第１，第２閃光装置２，３側について説明する。
第１閃光装置２と第２閃光装置３は同じ構成なので、第２閃光装置３については図１５にてＲ１８の手順として示し、説明を省略する。
第１閃光装置２の無線受信部１９は第２閃光装置３の固有の識別コードを受信する（図１５のＲ１７の手順）。
【０１２８】
Ｒ１７の手順は、Ｒ１７（Ｂ）→Ｒ１７（Ｃ）→Ｒ１７（Ｄ）→Ｒ１７（Ｅ）として示される。
Ｒ１７（Ｂ）にて、第１閃光装置２は、第１閃光装置２の固有の識別コードを受信する。
Ｒ１７（Ｃ）にて、第１閃光装置２において、照合手段４７により、カメラ１側から送信された第１閃光装置２の固有の識別コードと、第１閃光装置２側に記憶されている第１閃光装置２の固有の識別コードとが照合される。前記送信された固有の識別コードが前記記憶されている固有の識別コードに一致していれば、手順はＲ１７（Ｄ）に進む。
【０１２９】
すなわち、発光制御手段４７Ａは照合手段４７からの一致出力に応答し、発光を制御する（フラッシュ本体１６に発光コマンドを送る）。
これにより、第１閃光装置２は、第３の撮影システムＴ３のカメラ１に対応していることを認識し、他の撮影システムのカメラからの信号に応答せず、混信を防止できる。
【０１３０】
そして、Ｒ１７（Ｅ）にて、無線受信部１９からフラッシュ本体１６に予備発光のコマンドが出力される。
予備発光のコマンドを受けたフラッシュ本体１６は、予備発光を被写体Ｈに向けて発する。すなわち、第１閃光装置２から予備発光が発せられる。
この予備発光は、実施の形態１と同様なので、説明を省略する。
【０１３１】
フラッシュ撮影は、この予備発光の後、実施の形態１の第１の撮影システムＴ１と同様に、本発光に移行する。
（３）本発光
先ず、カメラ１側について説明する。
図１６に示すように、カメラ１の無線送信部１２から制御信号が電波を媒体として第１閃光装置２の無線受信部１９に送信される（Ｓ１９の手順）。Ｓ１９の手順は、Ｓ１９（Ｂ）→Ｓ１９（Ｄ）として示される。第１閃光装置２の固有の識別コード（Ｓ１９（Ｂ）），第１閃光装置２の本発光量（Ｓ１９（Ｄ））の各制御信号は、その順番で送信される。
【０１３２】
ここで、Ｓ１９（Ｄ）の本発光量は、測光回路１１により、受光素子７で検出された反射光量に基づいて演算されたものである。
続いて、カメラ１の無線送信部１２から制御信号が電波を媒体として第２閃光装置３の無線受信部１９に送信される（Ｓ２２の手順）。Ｓ２２の手順は、Ｓ２２（Ｂ）→Ｓ２２（Ｄ）として示される。第２閃光装置３の固有の識別コード（Ｓ２２（Ｂ）），本発光量（Ｓ２２（Ｄ））の各制御信号は、その順番で送信される。
【０１３３】
そして、図３，図１６に示すように、シャッタボタン５を押してからΔｔ時間経過すると、シャッタ（図示せず）の開期間の開始時期にほぼ同期して、カメラ１の無線送信部１２から第１，２閃光装置２，３の無線受信部１９に本発光のコマンドが同時に送信される（Ｓ２２（Ｅ））。なお、本発光のコマンド（Ｓ２２（Ｅ））は、実施の形態１の本発光のコマンド（Ｓ６（Ｅ））に対応している。
【０１３４】
次に、第１，第２閃光装置２，３側について説明する。
先ず、第１閃光装置２の無線受信部１９は第２閃光装置３の固有の識別コード等を受信する（図１６のＲ１９の手順）。
図１６のＲ１９の手順は、Ｒ１９（Ｂ）→Ｒ１９（Ｃ）→Ｒ１９（Ｄ）として示される。
【０１３５】
Ｒ１９（Ｂ）にて、第１閃光装置２は、カメラ１からの固有の識別コードを受信する。
Ｒ１９（Ｃ）にて、第１閃光装置２において、照合手段４７により、カメラ１側から送信された第１閃光装置２の固有の識別コードと、第１閃光装置２側に記憶されている第１閃光装置２の固有の識別コードとが照合される。前記送信された固有の識別コードが前記記憶されている固有の識別コードに一致していれば、Ｒ１９（Ｄ）に進む。すなわち、発光制御手段４７Ａは照合手段４７からの一致出力に応答し、発光を制御する（フラッシュ本体１６に発光コマンドを送る）。
【０１３６】
これにより、第１閃光装置２は、第３の撮影システムＴ３のカメラ１からの信号であることが認識され、他の撮影システムのカメラからの信号に応答せず、混信を防止できる。
一方、第２閃光装置３では、図１６のＲ２２の手順が実行される。なお、第１閃光装置２と第２閃光装置３は同じ構成なので、第２閃光装置３については図１６にてＲ２２の手順（Ｒ２２（Ｂ）→Ｒ２２（Ｃ）→Ｒ２２（Ｄ））として示し、説明を省略する。
【０１３７】
そして、カメラ１の無線送信部１２から第１，２閃光装置２，３の無線受信部１９に本発光のコマンドが同時に送信されると（図１６のＳ２２（Ｅ））、第１，２閃光装置２，３の無線受信部１９は、本発光のコマンドを同時に受信する(Ｒ２０，Ｒ２３）。本発光のコマンドは、各無線受信部１９，１９から各ＣＰＵ１７，１７を介してフラッシュ本体１６，１６に出力される（Ｒ２１，Ｒ２４）。各フラッシュ本体１６，１６は、被写体Ｈに向けて本発光を行う。
【０１３８】
本発光が停止した後、カメラ１のシャッタが閉じる。
このようにして、フラッシュ撮影が終了する。
本実施の形態によれば、実施の形態１と同様の効果に加えて次の効果を奏する。
第１，２閃光装置２，３側は、照合手段４７，４７により、電波による通信により伝達された第１，２閃光装置２，３の固有の識別コードと第１，２閃光装置２，３自身が備えている固有の識別コードとを照合することにより、第１，２閃光装置２，３が属する第３の撮影システムＴ３のカメラ１からの信号が到達していることを認識できるので、カメラ１の固有の識別コードについての照合をなくし、発光準備の時間を短縮し、応答性を良くできる。
【０１３９】
図１７ないし図２１により、上述した撮影システムＴ１，Ｔ２，Ｔ３の伝送制御手順と異なる他の伝送制御手順について、第１の撮影システムＴ１を例に挙げて説明する。
図１７は、第１の撮影システムＴ１の変形例で、他の伝送制御手順を実施するための前提となる構成図である。
【０１４０】
図１８は、図１７のカメラの記憶部及び閃光装置の記憶部を示す説明図である。
図１９は、他の伝送制御手順におけるカメラと閃光装置の関係を示すタイミング図である。
図２０は、他の伝送制御手順における予備発光の段階のフローチャート図である。
【０１４１】
図２１は、他の伝送制御手順における本発光の段階のフローチャート図である。
図１７，図１８において、カメラ側識別コード登録部１４には、カメラ１の固有の識別コードＩ（Ｃ）（以下、「識別コードＩ（Ｃ）」という）からなる識別コード（識別子）と、第１閃光装置２の固有の識別コードＩ（ＳＴ１）（以下、「識別コードＩ（ＳＴ１）」という）からなる識別コード（識別子）と、第２閃光装置３を示す固有の識別コードＩ（ＳＴ２）（以下、「識別コードＩ（ＳＴ２）」という）からなる識別コード（識別子）とが記憶されている（図１８に図示）。ここで、前記識別コードＩ（Ｃ），Ｉ（ＳＴ１），Ｉ（ＳＴ２）は、例えば４ビットのコードで符号化されている。
【０１４２】
無線送信部１２は、予備発光の段階で、例えば４ビットに符号化された第１次のデータ（後述する）と、これに付加された誤り訂正符号（例えば６４ビット）とを含むベースバンド信号を、第１，２閃光装置２，３に送信するとともに、本発光の段階で、例えば４ビットに符号化された第２次のデータ（後述する）と、これに付加された誤り訂正符号（例えば６４ビット）を含むベースバンド信号を第１，２閃光装置２，３に送信する。
【０１４３】
ここで、誤り訂正符号は、識別コードＩ（Ｃ），識別コードＩ（ＳＴ１），識別コードＩ（ＳＴ２），予備発光コマンド，本発光コマンドを示す符号に対して、誤り検出及び訂正を行うためのものである。
第１閃光装置２は、発光を行うフラッシュ本体１６と、ＣＰＵ１７Ａと、記憶部１７Ｂとを有するコントローラ１８と、シフトレジスタ（図示せず）を有する無線受信部１９と、ランプ１６Ａとを有している。
【０１４４】
記憶部１７Ｂは、フラッシュ側識別コード登録部２０と、プログラム領域２１とを有している。
フラッシュ側識別コード登録部２０に、識別コードＩ（ＳＴ１）及び識別コードＩ（Ｃ）が記憶されている。
撮影者の操作により、記憶部１７Ｂは、カメラ１のホットシュー８と接続コード２３または接点２３Ａ，２３Ｂ（図７に示す）を介して仮接続できるようになっている。
【０１４５】
ランプ１６Ａは、後述のように、第１閃光装置２において電波が正しく受信されなかったり、照合された識別コードの不一致の場合に点灯する。
第２閃光装置３は、第１閃光装置２と同様の構成であり、第１閃光装置２との相違点を説明する。第２閃光装置３のフラッシュ側識別コード登録部２０に、識別コードＩ（ＳＴ２）及び識別コードＩ（Ｃ）が記憶されている。
【０１４６】
第１の撮影システムＴ１において、フラッシュ撮影は、以下のように、（１）準備作業→（２）予備発光→（３）本発光の順序で行われる。
（１）準備作業
準備作業は第１の撮影システムＴ１で述べたものと同様であり、説明を省略する。
【０１４７】
準備作業を経て、第１の撮影システムＴ１によるフラッシュ撮影が行われる。
フラッシュ撮影は、撮影者がシャッタボタン５を押すことにより開始される。
そして、カメラ１が第１，第２閃光装置２，３を電波で制御し、第１，第２閃光装置２，３が閃光（予備発光，本発光）を発することにより行われる。
この予備発光の段階の動作は図２０により、本発光の段階の動作は図２１により説明する。
【０１４８】
（２）予備発光の段階の動作
先ず、カメラ１における動作について説明する。
カメラ１の無線送信部１２において、第１次のデータが符号化される。
ここで、第１次のデータは、識別コードＩ（Ｃ）と、識別コードＩ（ＳＴ１）と、識別コードＩ（ＳＴ２）と、予備発光コマンドとからなる。予備発光コマンドは、第１，２閃光装置２，３が予備発光を発するための命令である。
【０１４９】
符号化された第１次のデータ及び誤り訂正符号を含むベースバンド信号は、ディジタル伝送によりカメラ１の無線送信部１２から電波を媒体として第１閃光装置２の無線受信部１９に送信される。
次に、第１，第２閃光装置２，３における動作について説明する。
第１閃光装置２と第２閃光装置３は同じ構成なので、以下、第１閃光装置２のＲ５１で示す手順についてのみ説明し、第２閃光装置３については図２０にてＲ５２で示す手順として示し、説明を省略する。
【０１５０】
第１閃光装置２では、以下の動作が行われる。
ステップＳ５１において、第１次のデータ及び誤り訂正符号を含むベースバンド信号は、無線受信部１９のシフトレジスタに直列に取り込まれる。
ステップＳ５２において、ベースバンド信号は、前記シフトレジスタにより直列から並列に変換された後、記憶部１７Ｂに蓄積される。
【０１５１】
ステップＳ５３において、予備発光命令が発光制御手段２２Ａによりフラッシュ本体１６に出力される。予備発光命令を受けたフラッシュ本体１６は、予備発光を被写体Ｈに向けて発する。
カメラ１の受光素子７は、予備発光により被写体Ｈから反射した光量を受け、光量を検出する。
【０１５２】
ステップＳ５４において、第１次のデータが復号化される。
上述のように、第１，２閃光装置２，３において、第１次のデータの復号化は、予備発光の後に行われるので、カメラ１では、第１，２閃光装置２，３による予備発光の後、復号化処理の終了を待たずに、何らかのカメラ特有の処理Ｋ（図１９に示す）を行うことができる。すなわち、カメラ１は、第１，２閃光装置２，３における復号化処理の期間に、カメラ１側で特有の処理Ｋを行うための余裕の時間を持つことができ、設計の自由度を高くすることができる。
【０１５３】
ステップＳ５５において、復号化された第１次のデータは、正しく受信されたか否かが判断される。判断がＮＯである場合、ランプ１６Ａが点灯し（ステップＳ５７）、撮像者に警告を発する。
【０１５４】
判断がＹＥＳである場合、ステップＳ５６に進む。
ステップＳ５６において、照合手段２２により、カメラ１から送信された識別コードＩ（Ｃ）及び識別コードＩ（ＳＴ１）が、第１閃光装置２に記憶されている識別コードＩ（Ｃ）及び識別コードＩ（ＳＴ１）と照合される。
前記送信された識別コードは、前記記憶されている識別コードに一致にしなければ、ランプ１６Ａが点灯し（ステップＳ５７）、撮像者に警告が発っせられる。
【０１５５】
コントローラ１８は、前記送信された識別コードが前記記憶されている識別コードに一致していれば、カメラ１から与えられる次の命令を待つ。
ここで、第１閃光装置２がカメラ１から信号を受信したことは、第１閃光装置２からカメラ１への受信した旨の返信を行わずに、前述のように第１閃光装置２の予備発光をカメラ１の受光素子７が検出することで確認される。つまり、予備発光は電波による確認応答の代りの役割を果たす。
【０１５６】
そして、第１閃光装置２は、第１の撮影システムＴ１のカメラ１に対応していることを認識し、他の撮影システムのカメラからの信号に応答せず、混信を防止できる。
このようにして、図１９に示すように、第１閃光装置２は、カメラ１から第１閃光装置２への信号の送信により予備発光を行い、続いて、第２閃光装置３は、カメラ１から第２閃光装置３への信号の送信により予備発光を行う。
【０１５７】
この予備発光により被写体Ｈから反射した反射光は、カメラ本体４の撮影レンズ（図示せず）を通過した後、受光素子７で検出され、フラッシュ撮影は以下のように本発光の段階に移行する。
（３）本発光の段階の動作
先ず、カメラ１における動作について説明する。
【０１５８】
カメラ１の無線送信部１２において、第２次のデータが符号化される。
第２次のデータは、識別コードＩ（Ｃ）と、識別コードＩ（ＳＴ１）と、識別コードＩ（ＳＴ２）と、本発光コマンドとからなる。本発光コマンドは、本発光量と、本発光の送信のタイミングとを含む。本発光量は、測光回路１１により、予備発光で被写体Ｈから反射した光量を受ける受光素子７により検出された光量に基づいて演算され、フラッシュ本体１６から発光すべき光量である。
【０１５９】
符号化された第２次のデータ及び誤り訂正符号を含むベースバンド信号は、ディジタル伝送によりカメラ１の無線送信部１２から電波を媒体として第１閃光装置２の無線受信部１９に送信される。
そして、図１９に示すように、撮影者がシャッタボタン５を押してからΔｔ時間経過すると、シャッタ（図示せず）の開期間の開始時期にほぼ同期して、カメラ１の無線送信部１２から第１，２閃光装置２，３の各無線受信部１９，１９に本発光コマンドが同時に送信される。
【０１６０】
次に、第１，第２閃光装置２，３における動作について説明する。
第１閃光装置２と第２閃光装置３は同じ構成なので、以下、第１閃光装置２のＲ５３で示す動作についてのみ説明し、第２閃光装置３については図２１にてＲ５４で示す動作として示し、説明を省略する。
第１閃光装置２では、以下の動作が行われる。
【０１６１】
ステップＳ６１において、第２次のデータ及び誤り訂正符号を含むベースバンド信号は、無線受信部１９のシフトレジスタに直列に取り込まれる。
ステップＳ６２において、ベースバンド信号は、前記シフトレジスタにより直列から並列に変換され、記憶部１７Ｂに蓄積される。
ステップＳ６３において、第２次のデータが復号化される。
【０１６２】
ステップＳ６４において、復号化された第２次のデータは正しく受信されたか否かが判断される。判断がＮＯである場合、ランプ１６Ａが点灯し（ステップＳ６７）、撮像者に警告が発っせられる。
【０１６３】
判断がＹＥＳである場合、ステップＳ６４に進む。
ステップＳ６５において、照合手段２２により、カメラ１から送信された識別コードＩ（Ｃ）及び識別コードＩ（ＳＴ１）が、第１閃光装置２に記憶されている識別コードＩ（Ｃ）及び識別コードＩ（ＳＴ１）と照合される。
前記送信された識別コードは、前記記憶されている識別コードに一致にしなければ、ランプ１６Ａが点灯し（ステップＳ６７）、撮像者に警告が発っせられる。
【０１６４】
前記送信された識別コードは、前記記憶されている識別コードに一致していれば、発光制御手段２２Ａは照合手段２２からの一致出力に応答し、ステップＳ６６に進む。
ステップＳ６６において、発光制御手段２２Ａは、フラッシュ本体１６に発光コマンドを送る。
【０１６５】
ここで、第１閃光装置２における第２次のデータを受信したことは、第１閃光装置２からカメラ１への受信した旨の返信を行わずに、第１閃光装置２が本発光を行うことで確認される。つまり、本発光が電波による確認応答の代りの役割を果たす。
そして、第１閃光装置２は、第１の撮影システムＴ１のカメラ１に対応していることを認識し、他の撮影システムのカメラからの信号に応答せず、混信を防止できる。
【０１６６】
一方、第２閃光装置３では、図２１のＲ５４で示す動作がＲ５３で示す動作と同様に実行される。
そして、カメラ１の無線送信部１２から第１，２閃光装置２，３の無線受信部１９，１９に本発光コマンドが同時に送信されると、第１，２閃光装置２，３の無線受信部１９，１９は、本発光コマンドを同時に受信する。本発光コマンドは、各無線受信部１９，１９から各ＣＰＵ１７，１７を介してフラッシュ本体１６，１６に出力される。各フラッシュ本体１６，１６は、被写体Ｈに向けて本発光を行う。
【０１６７】
第１，２閃光装置２，３の本発光が停止した後、カメラ１のシャッタが閉じる。
このようにして、フラッシュ撮影が終了する。
なお、実施の形態１，２，３は上述した通りであるが、本発明に対して以下の適用が可能である。
第１に、上述の実施の形態においては、カメラ１は、カメラ本体４内にカメラ側識別コード登録部１４，無線送信部１２を装備しているが、カメラ１を、カメラ本体４にカメラ側識別コード登録部１４，無線送信部１２を外付する構造にしても良い。これにより、既存のカメラを活用できる。
【０１６８】
第２に、上述の実施の形態においては、カメラ１と第１，２閃光装置２，３とは別体であるが、カメラに閃光装置を一体に設けても良い。
第３に、上述の実施の形態においては、本発明を、１台のカメラ１と、これに付属する第１，２閃光装置２，３とからなる第１の撮影システムＴ１に適用した例について説明したが、図８に示すように、閃光装置を共有する２つの撮影システムに適用することもできる。
【０１６９】
すなわち、撮影システム２４は、カメラ２５と、閃光装置２６，２７とで構成されている。撮影システム２８は、カメラ２９と、閃光装置２７，３０とで構成されている。閃光装置２７はカメラ２５、カメラ２９の両方に対して受信設定がされている。
かかる２つの撮影システム２４，２８を同時に用いる場合、２台のカメラ２５，２９のスレーブ装置として設定された閃光装置２７は、いずれのカメラ２５，２９からの電波による通信に対しても自分の固有の識別コードが送信されてくるので、両撮影システム２４，２８によるフラッシュ撮影で閃光装置として機能する。
【０１７０】
第４に、上述の実施の形態においては、カメラ１に既に登録してある第１，２閃光装置２，３を、再度登録しようとした場合には、カメラ１に、登録を無視して警告信号を発する回路を付加することもできる。
第５に、上述の実施の形態においては、１度設定したカメラと閃光装置の関係を後に解除し、新しい組み合わせのカメラと閃光装置の関係を設定したい場台もある。このためにはカメラ側と閃光装置側とにそれぞれ「マスタ／スレーブ設定解除機能」を有する回路を付加することもできる。この場合、固有の識別コードの登録時と同様に、カメラ１と第１，２閃光装置２，３のうちの一方を接続コード２３を介して仮接続し、カメラ１側の「マスタ／スレーブ解除機能」を作動させた場合は、カメラ１のカメラ側識別コード登録部１４及び第１，２閃光装置２，３のフラッシュ側識別コード登録部２０に記憶されている双方の固有の識別コードが消去される。
【０１７１】
第６に、上述の実施の形態においては、複数の閃光装置を記憶してあるカメラが、その全てを使ってフラッシュ撮影する場合だけとは限らない撮影状況を考慮し、カメラには、記憶された閃光装置のうちでどれをフラッシュ撮影に使うかを設定できる回路を付加することができる。この場合、カメラに表示される閃光装置の一覧が機種コードやシリアル番号になっていると、直感的にわかりにくい。そこで、各閃光装置に分かり易く短い名前を付けられるようにしたり、登録順にＡ，Ｂ，Ｃと自動的に名称を付けるようにすることもできる。もし、撮影者がこの名称と閃光装置の対応を忘れても、閃光装置を単独に選択してテスト発光をさせればすぐに前記対応を判別できる。
【０１７２】
第７に、上記実施の形態１，２，３は、第１の携帯端末としてカメラに適用するとともに第２の携帯端末として閃光装置に適用した例を挙げて説明したが、第１の携帯端末として、例えば、カメラ以外に閃光装置，携帯電話，ＰＤＡ（Personal Digital Assistants）等に適用することができ、第２の携帯端末として、例えば、閃光装置以外にカメラ，携帯電話，ＰＤＡ等に適用することができる。
【０１７３】
例えば、第１の携帯端末としてカメラに適用するとともに第２の携帯端末として携帯電話に適用した場合、カメラと携帯電話とを予め導線または接点を介して仮接続することにより撮影システムＴ１，Ｔ２，Ｔ３と同様に識別コードを登録し、撮影時、カメラから携帯電話に撮影データを電波で送信することもできる。
《実施の形態４》
また、第１の携帯端末及び第２の携帯端末にそれぞれカメラを適用した撮影情報伝送システムを図２２に示すことができる。図２２は、撮影情報伝送システムの一実施の形態（実施の形態４）を示す。
【０１７４】
図において、撮影情報伝送システムＴ４は、１台のマスタカメラと、マスタカメラに付属する複数個（例えば２個）のスレーブカメラとで構成されている。撮影情報伝送システムＴ４は、図１に示す撮影システムＴ１と基本的に同じであり、相違する点についてのみ説明する。
図１３において、マスタカメラ５１（１台）に、複数個（図では２個）のスレーブカメラ５２，スレーブカメラ５３が付属している。
【０１７５】
マスタカメラ５１は、スレーブカメラ５２，スレーブカメラ５３に単方向性の伝送路を介して電波で信号を送り、スレーブカメラ５２，スレーブカメラ５３を制御する。
マスタカメラ５１は、図１に示すカメラ１と同様の構造であるが、要旨部分について説明すると、カメラ本体５４と、無線送信部５４Ａとを備えている。
【０１７６】
カメラ本体５４は、受光素子７と、被写体Ｈの反射光を受けて測光する周知の測光機能を有する測光回路１１とを備えている。
スレーブカメラ５２は、測光回路等の測光手段を装着していないカメラ本体５５と、無線受信部５６とを備えている。
マスタカメラ５１とスレーブカメラ５２，５３とが協働して、以下の制御により同時撮影がされる。
【０１７７】
（１）撮影者は、シャッタボタン５を半押しする。
（２）マスタカメラ５１は、撮影情報伝送システムＴ４を識別するための第１次のデータを含むベースバンド信号をスレーブカメラ５２，５３に送信する。
（３）スレーブカメラ５２，５３はベースバンド信号を受信し、図４，図５と同様にして識別コードの照合を行い、自身が属する撮影情報伝送システムＴ４を識別する。
【０１７８】
ここで、スレーブカメラ５２，５３が前記第１次のデータを受信したことのマスタカメラ５１側での確認は、スレーブカメラ５２，５３からマスタカメラ５１への確認応答がなくても、以下の手順の同時撮影をもって代えられる。
（４）マスタカメラ５１は、被写体Ｈからの反射光で測光し、測光量を求める。
（５）マスタカメラ５１は、撮影情報伝送システムＴ４を識別するための２次のデータ，測光量，撮影タイミングのデータを含むベースバンド信号をスレーブカメラ５２，５３に送信する。スレーブカメラ５２，５３は前記ベースバンド信号を受信し、スレーブカメラ５２，５３は、図４，図５と同様にして照合を行ない、自身の属する撮影情報伝送システムＴ４を識別する。
【０１７９】
（６）撮影者がシャッタを切ると、マスタカメラ５１はスレーブカメラ５２，５３にそれらのシャッタを同時に切る信号を送る。これにより、マスタカメラ５１，スレーブカメラ５２，５３による本撮影が同時に行われる。この時、スレーブカメラ５２，５３はマスタカメラ５１から送信された測光量，撮影タイミングのデータ等を利用する。
【０１８０】
かかる構成によれば、マスタカメラ５１だけで測光すれば、スレーブカメラ５２，５３で測光する必要がなく、複数のカメラ５１，５２，５３で同時撮影ができる。
さらに、第１の携帯端末としてＰＤＡに適用するとともに第２の携帯端末として複数のカメラに適用することもできる。この場合、ＰＤＡはマスタとなり、カメラはスレーブになる。ＰＤＡからカメラに単方向の無線伝送が行なわれる。この単方向の無線伝送では、第１段階で撮影情報伝送システムを識別するためのデータが送信され、第２段階で、撮影情報伝送システムを識別するためのデータ，測光量，撮影タイミング等のデータが送信される。これにより、カメラは、ＰＤＡにより同時或いは適当なタイミングで制御される。また、ＰＤＡに閃光装置としての機能を付加すとともにカメラに閃光装置を装着すること等の種々の組合せができる。
【０１８１】
第１の発明によれば、次の効果を奏する。第１に、カメラと閃光装置の少なくとも一方は、カメラまたは閃光装置を識別するための固有の識別コードを備え、閃光装置は、電波による通信により伝達された前記固有の識別コードを照合する照合手段を有しているので、多数の撮影システムが近接して用いられても、各閃光装置は、それが属する撮影システムを識別し、それが属する撮影システム以外の撮影システムのカメラから送信される制御信号に誤って作動したり、誤発光することを防止できる。
【０１８２】
第２に、カメラから閃光装置への発光準備のための信号として、従来の如き発光パルスを利用した無線通信を用いる必要がなく、電波による通信を利用しているため閃光装置の発光エネルギーの一部を、閃光装置の発光準備のため費やさなくて済む。
この結果、閃光装置の消費電力を減少させ、ガイドナンバーで表示された光量を通信の有無に拘わらず公称値通りに閃光でき、本発光の発光光量を増加させることができる。また、電波による通信のために閃光装置の発光エネルギーの一部を費やさなくて済むので、任意のカメラと任意の閃光装置とが対応付けされた撮影システムの組合せを、数の制限なしに生成することができる。
【０１８３】
第３に、任意のカメラと任意の閃光装置とが対応付けされた撮影システムの組合せを生成し、将来の新しい機種にも対応することができる。
第４に、カメラは閃光装置と直接電波で通信するため、カメラに従来の如き発光パルスを通信用として利用する閃光装置を装着する必要がなくなる。
【０１８４】
また、この他に、撮影システムは特定のカメラと特定の閃光装置の組合せに固定されることなく、任意のカメラと任意の閃光装置の自由な組合せにすることができる。特に、特定のカメラに対して閃光装置を追加する場合に便利である。
さらに、本発明によれば、閃光装置側の、電波による通信により伝達された閃光装置の固有の識別コードと閃光装置自身が備えている固有の識別コードとの照合だけにより、前記閃光装置が属する撮影システムのカメラからの信号が到達していることを認識できるので、カメラの固有の識別コードについての照合をなくし、閃光装置の発光準備の時間を短縮し、応答性を良くできる効果を奏する。
また、第２及び第３の発明によれば、カメラは、複数の閃光装置を制御することができる。
【０１８５】
第４の発明によれば、次の効果を奏する。第１に、識別子を符号化したデータの伝送に電波による無線技術を用いるので、識別子に関するデータを多くすることができ、伝送速度も速く、確実な送信を行なうことができる。
【０１８６】
第２に、第２の携帯端末は電波により伝送された固有の識別子を照合する照合手段を有しているので、多数の撮影情報伝送システムが近接して用いられても、第２の携帯端末は、それが属する撮影情報伝送システムを識別し、それが属する撮影情報伝送システム以外の撮影情報伝送システムの第１の携帯端末から送信される信号に誤って作動することを防止できる。
【０１８７】
また、撮影情報伝送システムは特定の携帯端末と特定の携帯端末の組合せに限定されることなく、任意の携帯端末と任意の携帯端末の自由な組合せにすることができる。特に、携帯端末を追加する場合に便利である。
また、第２の携帯端末の、電波により伝送された第２の携帯端末の固有の識別子と第２の携帯端末自身が備えている固有の識別子との照合だけにより、前記第２の携帯端末が属する撮影情報伝送システムの第１の携帯端末からの信号が到達していることを認識できるので、第１の携帯端末の固有の識別子についての照合をなくし、照合時間を短縮し、第２の携帯端末における応答性を良くできる。
【０１８８】
また、この場合、識別子を電波で登録するブルートゥースに比して、接続すべき相手（携帯端末）に誤って接続する可能性をなくし、接続すべき相手に的確に識別子を登録できる。
第５及び第６の発明によれば、第１の携帯端末は、複数の第２の携帯端末を、制御することができる。
【０１８９】
第７の発明によれば、多数の撮影情報伝送システムが近接して用いられても、各閃光装置は、それが属する撮影情報伝送システムを識別し、それが属する撮影情報伝送システム以外の撮影情報伝送システムのカメラから送信される信号に誤って作動したり、誤発光することを防止できる。カメラから閃光装置への発光準備のための信号として、従来の如き発光パルスを利用した無線伝送を用いる必要がなく、電波を利用しているため閃光装置の発光エネルギーの一部を、閃光装置の発光準備のため費やさなくて済む。
【０１９０】
この結果、閃光装置の消費電力を減少させ、ガイドナンバーで表示された光量を公称値通りに閃光でき、本発光の発光光量を増加させることができる。また、電波による伝送のために閃光装置の発光エネルギーの一部を費やさなくて済むので、任意のカメラと任意の閃光装置とが対応付けされた撮影情報伝送システムの組合せを、数の制限なしに生成することができる。
【０１９１】
また、カメラは閃光装置を直接電波で制御するため、カメラに従来の如き発光パルスを伝送用として利用する外付け閃光装置を装着する必要がなくなる。
第８の発明によれば、カメラから携帯電話に撮影データを伝送できる。
第９の発明によれば、測光の手間を省き、複数のカメラの同時撮影ができる。
【図面の簡単な説明】
【図１】実施の形態１を示す構成図である。
【図２】図１のカメラ側の記憶部及び閃光装置側の記憶部を示す説明図である。
【図３】カメラ側と閃光装置側の関係を示すタイミング図である。
【図４】図１のカメラ側の記憶部と閃光装置側の記憶部の固有の識別コードの記憶方法及び通信方法を示す説明図である。
【図５】実施の形態１の予備発光におけるフローチャート図である。
【図６】実施の形態１の本発光におけるフローチャート図である。
【図７】固有の識別コードを記憶する状態を示す説明図である。
【図８】撮影システムの他の適用例を示す説明図である。
【図９】実施の形態２におけるカメラ側の記憶部及び閃光装置側の記憶部を示す説明図である。
【図１０】図９のカメラ側の記憶部と閃光装置側の記憶部の固有の識別コードの記憶方法及び通信方法を示す説明図である。
【図１１】実施の形態２の予備発光におけるフローチャート図である。
【図１２】実施の形態２の本発光におけるフローチャート図である。
【図１３】実施の形態３におけるカメラ側の記憶部及び閃光装置側の記憶部を示す説明図である。
【図１４】図１３のカメラ側の記憶部と閃光装置側の記憶部の固有の識別コードの記憶方法及び通信方法を示す説明図である。
【図１５】実施の形態３の予備発光におけるフローチャート図である。
【図１６】実施の形態３の本発光におけるフローチャート図である。
【図１７】第１の撮影システムＴ１の変形例を示す構成図である。
【図１８】図１７のカメラの記憶部及び閃光装置の記憶部を示す説明図である。
【図１９】他の伝送制御手順におけるカメラと閃光装置の関係を示すタイミング図である。
【図２０】他の伝送制御手順における予備発光の段階のフローチャート図である。
【図２１】他の伝送制御手順における本発光の段階のフローチャート図である。
【図２２】実施の形態４を示す構成図である。
【図２３】従来の撮影システムに用いるカメラ及び複数の閃光装置を示す説明図である。
【図２４】従来の撮影システムの予備発光におけるタイミング図である。
【図２５】従来の撮影システムの本発光におけるタイミング図である。
【符号の説明】
１  カメラ
２  第１閃光装置
３  第２閃光装置
１３  記憶部
１４  カメラ側識別コード登録部
１８  記憶部
２０  フラッシュ側識別コード登録部
２２  照合手段
３１  記憶部
３２  カメラ側識別コード登録部
３４  記憶部
３５  フラッシュ側識別コード登録部
３７  照合手段
４１  記憶部
４２  カメラ側識別コード登録部
４４  記憶部
４５  フラッシュ側識別コード登録部
４７  照合手段
Ｔ１  第１の撮影システム
Ｔ２  第２の撮影システム
Ｔ３  第３の撮影システム
【図１】
0004168634.tif 000002
【図２】
0004168634.tif 000003
【図３】
0004168634.tif 000004
【図４】
0004168634.tif 000005
【図５】
0004168634.tif 000006
【図６】
0004168634.tif 000007
【図７】
0004168634.tif 000008
【図８】
0004168634.tif 000009
【図９】
0004168634.tif 000010
【図１０】
0004168634.tif 000011
【図１１】
0004168634.tif 000012
【図１２】
0004168634.tif 000013
【図１３】
0004168634.tif 000014
【図１４】
0004168634.tif 000015
【図１５】
0004168634.tif 000016
【図１６】
0004168634.tif 000017
【図１７】
0004168634.tif 000018
【図１８】
0004168634.tif 000019
【図１９】
0004168634.tif 000020
【図２０】
0004168634.tif 000021
【図２１】
0004168634.tif 000022
【図２２】
0004168634.tif 000023
【図２３】
0004168634.tif 000024
【図２４】
0004168634.tif 000025
【図２５】
0004168634.tif 000026